(57)【要約】  本開示は、ディスプレイを較正するための、コンピュータ可読記憶媒体上で符号化されたコンピュータプログラムを含む、システム、方法および装置を提供する。一態様では、ディスプレイを較正する方法は、１つまたは複数のアレイ電圧を決定することと、決定されたアレイ電圧に基づいて、１つまたは複数の駆動方式電圧を決定することとを含む。決定された駆動方式電圧は、たとえば、アレイのすべてのディスプレイ要素に印加された単一のセグメント電圧と、アレイのディスプレイ要素の複数のサブセットに印加された複数のコモン電圧とを含むことができる。
2014512566.tif 000002
【特許請求の範囲】
【請求項１】
第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、前記それぞれの複数のディスプレイ要素のうちの少なくとも１つのディスプレイ要素を作動させる最も低い電圧を決定することと、
前記第１の複数のディスプレイ要素、前記第２の複数のディスプレイ要素、および前記第３の複数のディスプレイ要素の各々について、第２の電圧、すなわち前記それぞれの複数のディスプレイ要素の各々に印加されたとき、前記それぞれの複数のディスプレイ要素内の実質的にすべての前記ディスプレイ要素を作動させる最も低い電圧を決定することと、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、前記それぞれの複数のディスプレイ要素のうちの少なくとも１つのディスプレイ要素を開放させる最も高い電圧を決定することと、
前記決定された第１、第２、および第３の電圧に基づいて、セグメント電圧を選択することと、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択することと
を備える、ディスプレイを較正する方法。
【請求項２】
少なくとも部分的に、前記選択されたセグメント電圧、ならびに前記第１、第２、および第３の保持電圧に基づいて、１つまたは複数の駆動方式電圧を選択することをさらに備える、請求項１に記載の方法。
【請求項３】
駆動方式で使用するために、前記選択されたセグメント電圧、ならびに前記第１、第２、および第３の保持電圧のうちの少なくとも１つを修正することをさらに備える、請求項１に記載の方法。
【請求項４】
駆動方式に従って、前記選択されたセグメント電圧と、前記第１、第２、および第３の保持電圧とを前記ディスプレイに印加することと、
前記選択されたセグメント電圧、ならびに前記第１、第２、および第３の保持電圧が前記駆動方式で使用するのに適しているかどうかを判定することと
をさらに備える、請求項１に記載の方法。
【請求項５】
前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定することをさらに備える、請求項１に記載の方法。
【請求項６】
セグメント電圧を選択することが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定することと、
前記第１、第２、および第３のポテンシャルセグメント電圧のうちの１つを前記セグメント電圧として選択することと
を備える、請求項１に記載の方法。
【請求項７】
前記第１、第２、および第３のポテンシャルセグメント電圧のうちの１つを選択することが、最も低い振幅を有する前記ポテンシャルセグメント電圧を選択することを含む、請求項６に記載の方法。
【請求項８】
前記複数ある複数のディスプレイ要素の各複数のディスプレイ要素が解空間に関連付けられ、前記第１、第２、および第３のポテンシャルセグメント電圧のうちの１つを選択することが、最小の領域を有する前記解空間に関連付けられた前記複数のディスプレイ要素に関連する前記ポテンシャルセグメント電圧を選択することを含む、請求項６に記載の方法。
【請求項９】
第１の色に関連付けられた前記第１の複数のディスプレイ要素、第２の色に関連付けられた前記第２の複数のディスプレイ要素、および第３の色に関連付けられた前記第３の複数のディスプレイ要素に電圧を印加するように構成されたアレイドライバと、
前記アレイドライバを制御し、
前記第１の複数のディスプレイ要素、前記第２の複数のディスプレイ要素、および前記第３の複数のディスプレイ要素の各々について、第１の電圧、すなわち前記複数のディスプレイ要素のうちのそれぞれの複数のディスプレイ要素の各ディスプレイ要素に印加されたとき、前記それぞれの複数のディスプレイ要素のうちの少なくとも１つのディスプレイ要素を作動させる最も低い電圧を決定し、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記それぞれの複数のディスプレイ要素内の実質的にすべての前記ディスプレイ要素を作動させる最も低い電圧を決定し、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、前記それぞれの複数のディスプレイ要素のうちの少なくとも１つのディスプレイ要素を開放させる最も高い電圧を決定し、
前記決定された第１、第２、および第３の電圧に基づいて、セグメント電圧を選択し、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択する
ように構成されたプロセッサと、
を備える、ディスプレイを較正するためのシステム。
【請求項１０】
前記プロセッサが、少なくとも部分的に、前記選択されたセグメント電圧、ならびに前記第１、第２、および第３の保持電圧に基づいて、１つまたは複数の駆動方式電圧を選択するようにさらに構成された、請求項９に記載のシステム。
【請求項１１】
前記プロセッサが、駆動方式で使用するために、前記選択されたセグメント電圧、ならびに前記第１、第２、および第３の保持電圧のうちの少なくとも１つを修正するようにさらに構成された、請求項９に記載のシステム。
【請求項１２】
前記プロセッサが、駆動方式に従って、前記選択されたセグメント電圧と、前記第１、第２、および第３の保持電圧とを前記ディスプレイに印加し、前記選択されたセグメント電圧、ならびに前記第１、第２、および第３の保持電圧が前記駆動方式で使用するのに適しているかどうかを判定するようにさらに構成された、請求項９に記載のシステム。
【請求項１３】
前記プロセッサが、前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定するようにさらに構成された、請求項９に記載のシステム。
【請求項１４】
前記プロセッサが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定し、
前記第１、第２、および第３のポテンシャルセグメント電圧のうちの１つを前記セグメント電圧として選択する
ことによって、セグメント電圧を選択するように構成された、請求項９に記載のシステム。
【請求項１５】
前記プロセッサが、最も低い振幅を有する前記ポテンシャルセグメント電圧を選択することによって、前記第１、第２、および第３のポテンシャルセグメント電圧のうちの１つを選択するように構成された、請求項１４に記載のシステム。
【請求項１６】
前記複数ある複数のディスプレイ要素の各複数のディスプレイ要素が解空間に関連付けられ、前記プロセッサが、最小の領域を有する前記解空間に関連付けられた前記複数のディスプレイ要素に関連する前記ポテンシャルセグメント電圧を選択することによって、前記第１、第２、および第３のポテンシャルセグメント電圧のうちの１つを選択するように構成された、請求項１４に記載のシステム。
【請求項１７】
第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、前記それぞれの複数のディスプレイ要素のうちの少なくとも１つのディスプレイ要素を作動させる最も低い電圧を決定するための手段と、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記それぞれの複数のディスプレイ要素内の実質的にすべての前記ディスプレイ要素を作動させる最も低い電圧を決定するための手段と、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、少なくとも１つの前記ディスプレイ要素を開放させる最も高い電圧を決定するための手段と、
前記決定された第１、第２、および第３の電圧に基づいて、セグメント電圧を選択するための手段と、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択するための手段と
を備える、ディスプレイを較正するためのシステム。
【請求項１８】
少なくとも部分的に、前記選択されたセグメント電圧、ならびに前記第１、第２、および第３の保持電圧に基づいて、１つまたは複数の駆動方式電圧を選択するための手段をさらに備える、請求項１７に記載のシステム。
【請求項１９】
駆動方式で使用するために、前記選択されたセグメント電圧、ならびに前記第１、第２、および第３の保持電圧のうちの少なくとも１つを修正するための手段をさらに備える、請求項１７に記載のシステム。
【請求項２０】
駆動方式に従って、前記選択されたセグメント電圧と、前記第１、第２、および第３の保持電圧とを前記ディスプレイに印加するための手段と、
前記選択されたセグメント電圧、ならびに前記第１、第２、および第３の保持電圧が前記駆動方式で使用するのに適しているかどうかを判定するための手段と
をさらに備える、請求項１７に記載のシステム。
【請求項２１】
前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定するための手段をさらに備える、請求項１７に記載のシステム。
【請求項２２】
セグメント電圧を選択するための前記手段が、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定するための手段と、
前記第１、第２、および第３のポテンシャルセグメント電圧のうちの１つを前記セグメント電圧として選択するための手段と
を備える、請求項１７に記載のシステム。
【請求項２３】
ディスプレイを較正する方法を実行するために、その上で符号化されたコンピュータ実行可能命令を有するコンピュータ可読記憶媒体であって、前記方法が、
第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、前記それぞれの複数のディスプレイ要素のうちの少なくとも１つのディスプレイ要素を作動させる最も低い電圧を決定することと、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記それぞれの複数のディスプレイ要素内の実質的にすべての前記ディスプレイ要素を作動させる最も低い電圧を決定することと、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、少なくとも１つの前記ディスプレイ要素を開放させる最も高い電圧を決定することと、
前記決定された第１、第２、および第３の電圧に基づいて、セグメント電圧を選択することと、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択することと
を備える、コンピュータ可読記憶媒体。
【請求項２４】
前記方法が、少なくとも部分的に、前記選択されたセグメント電圧、ならびに前記第１、第２、および第３の保持電圧に基づいて、１つまたは複数の駆動方式電圧を選択することをさらに備える、請求項２３に記載のコンピュータ可読記憶媒体。
【請求項２５】
前記方法が、駆動方式で使用するために、前記選択されたセグメント電圧、ならびに前記第１、第２、および第３の保持電圧のうちの少なくとも１つを修正することをさらに備える、請求項２３に記載のコンピュータ可読記憶媒体。
【請求項２６】
前記方法が、
駆動方式に従って、前記選択されたセグメント電圧と、前記第１、第２、および第３の保持電圧とを前記ディスプレイに印加することと、
前記選択されたセグメント電圧、ならびに前記第１、第２、および第３の保持電圧が前記駆動方式で使用するのに適しているかどうかを判定することと
をさらに備える、請求項２３に記載のコンピュータ可読記憶媒体。
【請求項２７】
前記方法が、前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定することをさらに備える、請求項２３に記載のコンピュータ可読記憶媒体。
【請求項２８】
セグメント電圧を選択することが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定することと、
前記第１、第２、および第３のポテンシャルセグメント電圧のうちの１つを前記セグメント電圧として選択することと
を備える、請求項２３に記載のコンピュータ可読記憶媒体。
【発明の詳細な説明】
【技術分野】
【０００１】
本開示は、ディスプレイを駆動するための駆動方式電圧の選択に関する。
【背景技術】
【０００２】
電気機械システムは、電気的および機械的要素と、アクチュエータと、トランスデューサと、センサーと、光学的構成要素（たとえば、ミラー）と、電子回路とを有するデバイスを含む。電気機械システムは、限定はしないが、マイクロスケールおよびナノスケールを含む、様々なスケールで製造され得る。たとえば、マイクロ電気機械システム（ＭＥＭＳ：microelectromechanical system）デバイスは、約１ミクロンから数百ミクロン以上に及ぶサイズを有する構造を含むことができる。ナノ電気機械システム（ＮＥＭＳ：nanoelectromechanical system）デバイスは、たとえば、数百ナノメートルよりも小さいサイズを含む、１ミクロンよりも小さいサイズを有する構造を含むことができる。電気および電気機械デバイスを形成するために、堆積、エッチング、リソグラフィを使用して、ならびに／あるいは、基板および／または堆積された材料層の部分をエッチング除去するかまたは層を追加する、他の微細加工プロセスを使用して、電気機械要素が作成され得る。
【０００３】
１つのタイプの電気機械システムデバイスは干渉変調器（ＩＭＯＤ：interferometric modulator）と呼ばれる。本明細書で使用する干渉変調器または干渉光変調器という用語は、光学干渉の原理を使用して光を選択的に吸収および／または反射するデバイスを指す。いくつかの実施態様では、干渉変調器は伝導性プレートのペアを含み得、そのペアの一方または両方は、全体的にまたは部分的に、透明でおよび／または反射性であり、適切な電気信号の印加時の相対運動が可能であり得る。一実施態様では、一方のプレートは、基板上に堆積された固定層を含み得、他方のプレートは、エアギャップによって固定層から分離された反射膜を含み得る。別のプレートに対するあるプレートの位置は、干渉変調器に入射する光の光学干渉を変化させることがある。干渉変調器デバイスは、広範囲の適用例を有しており、特にディスプレイ能力がある製品の場合、既存の製品を改善し、新しい製品を作成する際に使用されることが予期される。
【発明の概要】
【０００４】
本開示のシステム、方法およびデバイスは、それぞれいくつかの発明的態様を有し、それらのうちの単一の態様が、単独で、本明細書で開示する望ましい属性を担当するとは限らない。
【０００５】
本開示で説明する主題の１つの発明的態様は、ディスプレイを較正する方法において実施することができる。方法は、第１の複数のディスプレイ要素、第２の複数のディスプレイ要素、および第３の複数のディスプレイ要素の各々について、第１の電圧、すなわち複数のディスプレイ要素のうちのそれぞれの複数のディスプレイ要素の各ディスプレイ要素に印加されたとき、それぞれの複数のディスプレイ要素のうちの少なくとも１つのディスプレイ要素を作動させる最も低い電圧を決定することを含むことができる。第１の複数のディスプレイ要素は、第１の色に関連付けることができる。第２の複数のディスプレイ要素は、第２の色に関連付けることができる。第３の複数のディスプレイ要素は、第３の色に関連付けることができる。方法は、第１の複数のディスプレイ要素、第２の複数のディスプレイ要素、および第３の複数のディスプレイ要素の各々について、第２の電圧、すなわちそれぞれの複数のディスプレイ要素のうちの各ディスプレイ要素に印加されたとき、それぞれの複数のディスプレイ要素内の実質的にすべてのディスプレイ要素を作動させる最も低い電圧を決定することをさらに含むことができる。方法は、第１の複数のディスプレイ要素、第２の複数のディスプレイ要素、および第３の複数のディスプレイ要素の各々について、第３の電圧、すなわちそれぞれの複数のディスプレイ要素のうちの各ディスプレイ要素に印加されたとき、少なくとも１つのディスプレイ要素を開放させる最も高い電圧を決定することをさらに含むことができる。方法は、決定された第１、第２、および第３の電圧に基づいて、セグメント電圧を選択することをさらに含むことができる。方法は、少なくとも部分的にセグメント電圧に基づいて、第１の複数のディスプレイ要素、第２の複数のディスプレイ要素、および第３の複数のディスプレイ要素について、それぞれ第１、第２、および第３の保持電圧を選択することをさらに含むことができる。
【０００６】
いくつかの実施態様では、方法は、少なくとも部分的に、選択されたセグメント電圧、ならびに第１、第２、および第３の保持電圧に基づいて、１つまたは複数の駆動方式電圧を選択することをさらに含む。いくつかの実施態様では、方法は、駆動方式で使用するために、選択されたセグメント電圧、ならびに第１、第２、および第３の保持電圧のうちの少なくとも１つを修正することをさらに含む。いくつかの実施態様では、方法は、駆動方式に従って、選択されたセグメント電圧と、第１、第２、および第３の保持電圧とをディスプレイに印加することと、選択されたセグメント電圧、ならびに第１、第２、および第３の保持電圧が駆動方式で使用するのに適しているかどうかを判定することとをさらに含む。
【０００７】
いくつかの実施態様では、方法は、第１の複数のディスプレイ要素、第２の複数のディスプレイ要素、および第３の複数のディスプレイ要素の各々について、第４の電圧、すなわち複数ある複数のディスプレイ要素のうちのそれぞれの複数のディスプレイ要素の各ディスプレイ要素に印加されたとき、それぞれの複数のディスプレイ要素のうちの実質的にすべてを開放させる最も高い正電圧を決定することをさらに含むことができる。
【０００８】
いくつかの実施態様では、セグメント電圧を選択することは、第１の複数のディスプレイ要素、第２の複数のディスプレイ要素、および第３の複数のディスプレイ要素について決定された第１、第２、および第３の電圧に基づいて、それぞれ第１、第２、および第３のポテンシャルセグメント電圧を決定することと、選択されたセグメント電圧として、第１、第２、および第３のポテンシャルセグメント電圧のうちの１つを選択することとを含む。いくつかの実施態様では、最も低い振幅を有するポテンシャルセグメント電圧が選択される。いくつかの他の実施態様では、最も小さい領域を有する解空間に関連する複数のディスプレイ要素に関連付けられたポテンシャルセグメント電圧が選択される。
【０００９】
本開示で説明する主題の別の発明的態様は、ディスプレイを較正するためのシステムにおいて実施することができる。ディスプレイは、第１の色の第１の複数のディスプレイ要素と、第２の色の第２の複数のディスプレイ要素と、第３の色の第３の複数のディスプレイ要素とを含むことができる。システムは、第１の複数のディスプレイ要素、第２の複数のディスプレイ要素、および第３の複数のディスプレイ要素に電圧を印加するように構成されたアレイドライバと、プロセッサとを含むことができる。プロセッサは、（１）アレイドライバを制御し、（２）第１の複数のディスプレイ要素、第２の複数のディスプレイ要素、および第３の複数のディスプレイ要素の各々について、第１の電圧、すなわち複数のディスプレイ要素のうちのそれぞれの複数のディスプレイ要素の各ディスプレイ要素に印加されたとき、それぞれの複数のディスプレイ要素のうちの少なくとも１つのディスプレイ要素を作動させる最も低い電圧を決定し、（３）第１の複数のディスプレイ要素、第２の複数のディスプレイ要素、および第３の複数のディスプレイ要素の各々について、第２の電圧、すなわちそれぞれの複数のディスプレイ要素のうちの各ディスプレイ要素に印加されたとき、それぞれの複数のディスプレイ要素内の実質的にすべてのディスプレイ要素を作動させる最も低い電圧を決定し、（４）第１の複数のディスプレイ要素、第２の複数のディスプレイ要素、および第３の複数のディスプレイ要素の各々について、第３の電圧、すなわちそれぞれの複数のディスプレイ要素のうちの各ディスプレイ要素に印加されたとき、ディスプレイ要素のうちの少なくとも１つのディスプレイ要素を開放させる最も高い電圧を決定し、（５）決定された第１、第２、および第３の電圧に基づいて、セグメント電圧を選択し、（６）少なくとも部分的にセグメント電圧に基づいて、第１の複数のディスプレイ要素、第２の複数のディスプレイ要素、および第３の複数のディスプレイ要素について、それぞれ第１、第２、および第３の保持電圧を選択するように構成され得る。
【００１０】
いくつかの実施態様では、プロセッサは、少なくとも部分的に選択されたセグメント電圧、ならびに第１、第２、および第３の保持電圧に基づいて、１つまたは複数の駆動方式電圧を選択するように構成される。いくつかの実施態様では、プロセッサは、駆動方式で使用するために、選択されたセグメント電圧、ならびに第１、第２、および第３の保持電圧のうちの少なくとも１つを修正するように構成される。いくつかの実施態様では、プロセッサは、アレイドライバを制御して、駆動方式に従って、選択されたセグメント電圧と、第１、第２、および第３の保持電圧とをディスプレイに印加し、選択されたセグメント電圧、ならびに第１、第２、および第３の保持電圧が駆動方式で使用するのに適しているかどうかを判定するように構成される。
【００１１】
いくつかの実施態様では、プロセッサは、第１の複数のディスプレイ要素、第２の複数のディスプレイ要素、および第３の複数のディスプレイ要素の各々について、第４の電圧、すなわち複数ある複数のディスプレイ要素すべてのうちのそれぞれの複数のディスプレイ要素の各ディスプレイ要素に印加されたとき、それぞれの複数のディスプレイ要素内の実質的にすべてのディスプレイ要素を開放させる最も高い正電圧を決定するように構成される。
【００１２】
いくつかの実施態様では、プロセッサは、第１の複数のディスプレイ要素、第２の複数のディスプレイ要素、および第３の複数のディスプレイ要素について決定された第１、第２、および第３の電圧に基づいて、それぞれ第１、第２、および第３のポテンシャルセグメント電圧を決定すること、ならびに選択されたセグメント電圧として、第１、第２、および第３のポテンシャルセグメント電圧のうちの１つを選択することにより、セグメント電圧を選択する。いくつかの実施態様では、最も低い振幅を有するポテンシャルセグメント電圧が選択される。いくつかの他の実施態様では、最も小さい領域を有する解空間に関連する複数のディスプレイ要素に関連付けられたポテンシャルセグメント電圧が選択される。
【００１３】
本開示で説明する主題の別の発明的態様は、ディスプレイを較正するためのシステムにおいて実施することができる。ディスプレイは、第１の色の第１の複数のディスプレイ要素と、第２の色の第２の複数のディスプレイ要素と、第３の色の第３の複数のディスプレイ要素とを含むことができる。
【００１４】
システムは、第１の複数のディスプレイ要素、第２の複数のディスプレイ要素、および第３の複数のディスプレイ要素の各々について、第１の電圧、すなわち複数のディスプレイ要素のうちのそれぞれの複数のディスプレイ要素の各ディスプレイ要素に印加されたとき、それぞれの複数のディスプレイ要素のうちの少なくとも１つのディスプレイ要素を作動させる最も低い電圧を決定するための手段を含むことができる。システムは、第１の複数のディスプレイ要素、第２の複数のディスプレイ要素、および第３の複数のディスプレイ要素の各々について、第２の電圧、すなわちそれぞれの複数のディスプレイ要素のうちの各ディスプレイ要素に印加されたとき、それぞれの複数のディスプレイ要素内の実質的にすべてのディスプレイ要素を作動させる最も低い電圧を決定するための手段をさらに含むことができる。システムは、第１の複数のディスプレイ要素、第２の複数のディスプレイ要素、および第３の複数のディスプレイ要素の各々について、第３の電圧、すなわちそれぞれの複数のディスプレイ要素のうちの各ディスプレイ要素に印加されたとき、ディスプレイ要素のうちの少なくとも１つのディスプレイ要素を開放させる最も高い電圧を決定するための手段をさらに含むことができる。システムは、決定された第１、第２、および第３の電圧に基づいて、セグメント電圧を選択するための手段をさらに含むことができる。システムは、少なくとも部分的にセグメント電圧に基づいて、第１の複数のディスプレイ要素、第２の複数のディスプレイ要素、および第３の複数のディスプレイ要素について、それぞれ第１、第２、および第３の保持電圧を選択するための手段をさらに含むことができる。
【００１５】
いくつかの実施態様では、システムは、少なくとも部分的に、選択されたセグメント電圧、ならびに第１、第２、および第３の保持電圧に基づいて、１つまたは複数の駆動方式電圧を選択するための手段をさらに含む。いくつかの実施態様では、システムは、駆動方式で使用するために、選択されたセグメント電圧、ならびに第１、第２、および第３の保持電圧のうちの少なくとも１つを修正するための手段をさらに含む。いくつかの実施態様では、システムは、駆動方式に従って、選択されたセグメント電圧と、第１、第２、および第３の保持電圧とをディスプレイに印加するための手段と、選択されたセグメント電圧、ならびに第１、第２、および第３の保持電圧が駆動方式で使用するのに適しているかどうかを判定するための手段とをさらに含む。
【００１６】
いくつかの実施態様では、システムは、第１の複数のディスプレイ要素、第２の複数のディスプレイ要素、および第３の複数のディスプレイ要素の各々について、第４の電圧、すなわち複数ある複数のディスプレイ要素のうちのそれぞれの複数のディスプレイ要素の各ディスプレイ要素に印加されたとき、それぞれの複数のディスプレイ要素のうちの実質的にすべてを開放させる最も高い正電圧を決定するための手段をさらに含む。
【００１７】
いくつかの実施態様では、セグメント電圧を選択するための手段は、第１の複数のディスプレイ要素、第２の複数のディスプレイ要素、および第３の複数のディスプレイ要素について決定された第１、第２、および第３の電圧に基づいて、それぞれ第１、第２、および第３のポテンシャルセグメント電圧を決定するための手段と、選択されたセグメント電圧として、第１、第２、および第３のポテンシャルセグメント電圧のうちの１つを選択するための手段とを含む。
【００１８】
本開示で説明する主題の別の発明的態様は、ディスプレイを較正する方法を実行するための、符号化されたコンピュータ実行可能命令を有するコンピュータ可読記憶媒体において実施することができる。ディスプレイは、第１の色の第１の複数のディスプレイ要素と、第２の色の第２の複数のディスプレイ要素と、第３の色の第３の複数のディスプレイ要素とを含むことができる。符号化された方法は、第１の複数のディスプレイ要素、第２の複数のディスプレイ要素、および第３の複数のディスプレイ要素の各々について、第１の電圧、すなわち複数のディスプレイ要素のうちのそれぞれの複数のディスプレイ要素の各ディスプレイ要素に印加されたとき、それぞれの複数のディスプレイ要素のうちの少なくとも１つのディスプレイ要素を作動させる最も低い電圧を決定することを含むことができる。方法は、第１の複数のディスプレイ要素、第２の複数のディスプレイ要素、および第３の複数のディスプレイ要素の各々について、第２の電圧、すなわちそれぞれの複数のディスプレイ要素のうちの各ディスプレイ要素に印加されたとき、それぞれの複数のディスプレイ要素内の実質的にすべてのディスプレイ要素を作動させる最も低い電圧を決定することを含むことができる。方法は、第１の複数のディスプレイ要素、第２の複数のディスプレイ要素、および第３の複数のディスプレイ要素の各々について、第３の電圧、すなわちそれぞれの複数のディスプレイ要素のうちの各ディスプレイ要素に印加されたとき、少なくとも１つのディスプレイ要素を開放させる最も高い電圧を決定することを含むことができる。方法は、決定された第１、第２、および第３の電圧に基づいて、セグメント電圧を選択することを含むことができる。方法は、少なくとも部分的にセグメント電圧に基づいて、第１の複数のディスプレイ要素、第２の複数のディスプレイ要素、および第３の複数のディスプレイ要素について、それぞれ第１、第２、および第３の保持電圧を選択することを含むことができる。
【００１９】
いくつかの実施態様では、符号化された方法は、少なくとも部分的に、選択されたセグメント電圧、ならびに第１、第２、および第３の保持電圧に基づいて、１つまたは複数の駆動方式電圧を選択することを含む。いくつかの実施態様では、符号化された方法は、駆動方式で使用するために、選択されたセグメント電圧、ならびに第１、第２、および第３の保持電圧のうちの少なくとも１つを修正することをさらに含む。いくつかの実施態様では、符号化された方法は、駆動方式に従って、選択されたセグメント電圧と、第１、第２、および第３の保持電圧とをディスプレイに印加することと、選択されたセグメント電圧、ならびに第１、第２、および第３の保持電圧が駆動方式で使用するのに適しているかどうかを判定することとをさらに含む。
【００２０】
いくつかの実施態様では、符号化された方法は、第１の複数のディスプレイ要素、第２の複数のディスプレイ要素、および第３の複数のディスプレイ要素の各々について、第４の電圧、すなわち複数ある複数のディスプレイ要素のうちのそれぞれの複数のディスプレイ要素の各ディスプレイ要素に印加されたとき、それぞれの複数のディスプレイ要素内の実質的にすべてのディスプレイ要素を開放させる最も高い正電圧を決定することをさらに含む。
【００２１】
いくつかの実施態様では、セグメント電圧を選択することは、第１の複数のディスプレイ要素、第２の複数のディスプレイ要素、および第３の複数のディスプレイ要素について決定された第１、第２、および第３の電圧に基づいて、それぞれ第１、第２、および第３のポテンシャルセグメント電圧を決定することと、選択されたセグメント電圧として、第１、第２、および第３のポテンシャルセグメント電圧のうちの１つを選択することとを含む。
【００２２】
本明細書で説明する主題の１つまたは複数の実施態様の詳細が、添付の図面および以下の説明において示されている。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００２３】
【図１】干渉変調器（ＩＭＯＤ）ディスプレイデバイスの一連のディスプレイ要素中の２つの隣接ディスプレイ要素を示す等角図の一例を示す図。
【図２】３×３干渉変調器ディスプレイを組み込んだ電子デバイスを示すシステムブロック図の一例を示す図。
【図３】図１の干渉変調器についての可動反射層位置対印加電圧を示す図の一例を示す図。
【図４】様々なコモン電圧およびセグメント電圧が印加されたときの干渉変調器の様々な状態を示す表の一例を示す図。
【図５Ａ】図２の３×３干渉変調器ディスプレイにおけるディスプレイデータのフレームを示す図の一例を示す図。
【図５Ｂ】図５Ａに示すディスプレイデータのフレームを書き込むために使用され得るコモン信号およびセグメント信号についてのタイミング図の一例を示す図。
【図６Ａ】図１の干渉変調器ディスプレイの部分断面図の一例を示す図。
【図６Ｂ】干渉変調器の異なる実施態様の断面図の一例を示す図。
【図６Ｃ】干渉変調器の異なる実施態様の断面図の一例を示す図。
【図６Ｄ】干渉変調器の異なる実施態様の断面図の一例を示す図。
【図６Ｅ】干渉変調器の異なる実施態様の断面図の一例を示す図。
【図７】干渉変調器のための製造プロセスを示す流れ図の一例を示す図。
【図８Ａ】干渉変調器を製作する方法における様々な段階の断面概略図の一例を示す図。
【図８Ｂ】干渉変調器を製作する方法における様々な段階の断面概略図の一例を示す図。
【図８Ｃ】干渉変調器を製作する方法における様々な段階の断面概略図の一例を示す図。
【図８Ｄ】干渉変調器を製作する方法における様々な段階の断面概略図の一例を示す図。
【図８Ｅ】干渉変調器を製作する方法における様々な段階の断面概略図の一例を示す図。
【図９】いくつかの異なる分岐干渉変調器についての可動反射ミラー位置対印加電圧を示す図の一例を示す図。
【図１０】駆動方式電圧を選択する際に使用され得る不等式を示すグラフの一例を示す図。
【図１１】マルチカラー用の駆動方式電圧を選択する際に使用され得る不等式を示すグラフの一例を示す図。
【図１２】駆動方式電圧を選択する方法を示す流れ図の一例を示す図。
【図１３】アレイを駆動する方法を示す流れ図の一例を示す図。
【図１４】例示的な試験装置のシステムブロック図。
【図１５Ａ】複数の干渉変調器を含むディスプレイデバイスを示すシステムブロック図の例を示す図。
【図１５Ｂ】複数の干渉変調器を含むディスプレイデバイスを示すシステムブロック図の例を示す図。
【詳細な説明】
【００２４】
様々な図面中の同様の参照番号および名称は同様の要素を示す。
【００２５】
以下の詳細な説明は、発明的態様について説明する目的で、いくつかの実施態様を対象とする。しかしながら、本明細書の教示は、多数の異なる方法で適用され得る。説明する実施態様は、動いていようと（たとえば、ビデオ）、静止していようと（たとえば、静止画像）、およびテキストであろうと、グラフィックであろうと、絵であろうと、画像を表示するように構成された任意のデバイスにおいて実施され得る。より具体的には、実施態様は、限定はしないが、携帯電話、マルチメディアインターネット対応セルラー電話、モバイルテレビジョン受信機、ワイヤレスデバイス、スマートフォン、Ｂｌｕｅｔｏｏｔｈ（登録商標）デバイス、携帯情報端末（ＰＤＡ）、ワイヤレス電子メール受信機、ハンドヘルドまたはポータブルコンピュータ、ネットブック、ノートブック、スマートブック、タブレット、プリンタ、コピー機、スキャナ、ファクシミリデバイス、ＧＰＳ受信機／ナビゲータ、カメラ、ＭＰ３プレーヤ、カムコーダ、ゲーム機、腕時計、クロック、計算器、テレビジョンモニタ、フラットパネルディスプレイ、電子リーディングデバイス（たとえば、電子リーダー）、コンピュータモニタ、自動車ディスプレイ（たとえば、オドメータディスプレイなど）、コックピットコントロールおよび／またはディスプレイ、カメラビューディスプレイ（たとえば、車両における後部ビューカメラのディスプレイ）、電子写真、電子ビルボードまたは標示、プロジェクタ、アーキテクチャ構造物、電子レンジ、冷蔵庫、ステレオシステム、カセットレコーダーまたはプレーヤ、ＤＶＤプレーヤ、ＣＤプレーヤ、ＶＣＲ、ラジオ、ポータブルメモリチップ、洗濯機、乾燥機、洗濯機／乾燥機、パーキングメーター、パッケージング（たとえば、電気機械システム（ＥＭＳ）、ＭＥＭＳおよび非ＭＥＭＳ）、審美構造物（たとえば、１つの宝飾品上の画像のディスプレイ）、ならびに様々な電気機械システムデバイスなど、様々な電子デバイス中に実施されるかまたはそれらに関連付けられ得ると考えられる。また、本明細書の教示は、限定はしないが、電子スイッチングデバイス、無線周波フィルタ、センサー、加速度計、ジャイロスコープ、運動感知デバイス、磁力計、コンシューマーエレクトロニクスのための慣性構成要素、コンシューマーエレクトロニクス製品の部品、バラクタ、液晶デバイス、電気泳動デバイス、駆動方式、製造プロセス、および電子テスト機器など、非ディスプレイ適用例において使用され得る。したがって、本教示は、単に図に示す実施態様に限定されるものではなく、代わりに、当業者に直ちに明らかになるであろう広い適用性を有する。
【００２６】
駆動方式電圧を決定することに関するデバイスおよび方法が本明細書に記載される。デバイスおよび方法の構成は、光学式のＥＭＳデバイスおよびＭＥＭＳデバイス、特に分岐干渉変調器ディスプレイデバイスに関して記載される。しかしながら、同様のデバイスおよび方法が他の適切なディスプレイ技術とともに使用され得ることを、当業者は認識されよう。
【００２７】
一般に、ディスプレイアレイは物理ピクセルのアレイとして形成される。多くのディスプレイアレイ、特にグレースケールおよびカラーのディスプレイアレイの場合、各物理ピクセルはディスプレイ要素のグループから構成され、各ディスプレイ要素は、様々な視覚的に知覚可能な出力を有する２つ以上の状態に選択的に配置され得る。数値的な入力画像データのピクセルは、ディスプレイアレイの物理ピクセル上にマップされ、そのグループのディスプレイ要素は、それらだけで、またはディスプレイ要素の他の隣接ピクセルととともに、入力画像データの視覚的に知覚可能な表現を一括して生成する状態に配置される。いくつかのディスプレイ技術の場合、ディスプレイ要素は、素子が状態を変更する電圧によって特徴づけることができる。しかしながら、要素のアレイの中では完全な均一性はあり得ず、わずかに異なる電圧で様々な要素が様々な状態に遷移することができる。この不均一性は、たとえば、製造プロセスにおいて必然的に発生する、アレイの異なる部分での材料の厚さまたは他の特性におけるわずかな差異から生じる場合がある。したがって、特定の要素に適した駆動方式電圧は、他の要素には適さない場合がある。本明細書に記載されたいくつかの実施態様では、駆動方式電圧は、可変電圧を印加しアレイ全体にわたってディスプレイ要素を観測することによって決定された電圧レベルに基づいて決定される。電圧レベルは、ディスプレイ要素がちょうど作動し始めるそれらの電圧レベル、およびすべてまたは実質的にすべてのディスプレイ要素が作動するようになるそれらの電圧レベルとして観測され得る。これらの観測された電圧レベルを使用して、すべてまたは実質的にすべてのディスプレイ要素に働くアレイに適した駆動方式電圧が導出され得る。
【００２８】
本開示で説明する主題の特定の実施態様は、以下の潜在的な利点のうちの１つまたは複数を実現するように実施され得る。アレイ全体の観測に基づいて駆動方式電圧を決定することによって、駆動方式は、偶発的な作動または偶発的な開放なしに、すべてまたは少なくともほぼすべてのディスプレイ要素に対して首尾よく動作することができる。ディスプレイ要素が作動されるべきときにそれらが開放されたか、またはディスプレイ要素が開放されるべきときにそれらが作動された場合、ディスプレイの外観は入力画像データに基づく意図された外観から逸脱するので、上記により表示性能が向上する。
【００２９】
説明する実施態様が適用され得る好適な電気機械システム（ＥＭＳ）またはＭＥＭＳデバイスの一例は、反射型ディスプレイデバイスである。反射型ディスプレイデバイスは、光学干渉の原理を使用してそれに入射する光を選択的に吸収および／または反射するために干渉変調器（ＩＭＯＤ）を組み込むことができる。ＩＭＯＤは、吸収器、吸収器に対して可動である反射体、ならびに吸収器と反射体との間に画定された光共振キャビティを含むことができる。反射体は、２つ以上の異なる位置に移動され得、これは、光共振キャビティのサイズを変化させ、それにより干渉変調器の反射率に影響を及ぼすことがある。ＩＭＯＤの反射スペクトルは、かなり広いスペクトルバンドをもたらすことができ、そのスペクトルバンドは、異なる色を生成するために可視波長にわたってシフトされ得る。スペクトルバンドの位置は、光共振キャビティの厚さを変更することによって、すなわち、反射体の位置を変更することによって調節され得る。
【００３０】
図１は、分岐干渉変調器（ＩＭＯＤ）ディスプレイデバイスの一連のディスプレイ要素において２つの隣接するディスプレイ要素を描写する等角図の一例を示す。ＩＭＯＤディスプレイデバイスは、１つまたは複数の分岐干渉ＭＥＭＳディスプレイ要素を含む。これらのデバイスでは、ＭＥＭＳディスプレイ要素は、明状態または暗状態のいずれかにあり得る。明（「緩和」、「開」または「オン」）状態では、ディスプレイ要素は、たとえば、ユーザに入射可視光の大部分を反射する。逆に、暗（「作動」、「閉」または「オフ」）状態では、ディスプレイ要素は入射可視光をほとんど反射しない。いくつかの実施態様では、オン状態の光反射特性とオフ状態の光反射特性は反転され得る。ＭＥＭＳディスプレイ要素は、黒および白に加えて、主にカラーディスプレイを可能にする特定の波長で反射するように構成され得る。
【００３１】
ＩＭＯＤディスプレイデバイスは、ＩＭＯＤの行／列アレイを含むことができる。各ＩＭＯＤは、（光ギャップまたはキャビティとも呼ばれる）エアギャップを形成するように互いから可変で制御可能な距離をおいて配置された反射層のペア、すなわち、可動反射層と固定部分反射層とを含むことができる。可動反射層は、少なくとも２つの位置の間で移動され得る。第１の位置、すなわち、緩和位置では、可動反射層は、固定部分反射層から比較的大きい距離をおいて配置され得る。第２の位置、すなわち、作動位置では、可動反射層は、部分反射層により近接して配置され得る。それら２つの層から反射する入射光は、可動反射層の位置に応じて、強め合うようにまたは弱め合うように干渉し、各ディスプレイ要素について全反射状態または無反射状態のいずれかを引き起こすことがある。いくつかの実施態様では、ＩＭＯＤは、作動していないときに反射状態にあり、可視スペクトル内の光を反射し得、また、作動していないときに暗状態にあり、可視範囲外の光（たとえば、赤外光）を反射し得る。ただし、いくつかの他の実施態様では、ＩＭＯＤは、作動していないときに暗状態にあり、作動しているときに反射状態にあり得る。いくつかの実施態様では、印加電圧の導入が、状態を変更するようにディスプレイ要素を駆動することができる。いくつかの他の実施態様では、印加電荷が、状態を変更するようにディスプレイ要素を駆動することができる。
【００３２】
図１中のディスプレイ要素アレイの図示の部分は、２つの隣接する干渉変調器１２を含む。（図示のような）左側のＩＭＯＤ１２では、可動反射層１４が、部分反射層を含む光学スタック１６からの所定の距離における緩和位置に示されている。左側のＩＭＯＤ１２の両端間に印加された電圧Ｖ0は、可動反射層１４の作動を引き起こすには不十分である。右側のＩＭＯＤ１２では、可動反射層１４は、光学スタック１６の近くの、またはそれに隣接する作動位置に示されている。右側のＩＭＯＤ１２の両端間に印加された電圧Ｖbiasは、可動反射層１４を作動位置に維持するのに十分である。
【００３３】
図１では、ディスプレイ要素１２の反射特性が、概して、ディスプレイ要素１２に入射する光を示す矢印１３と、左側のディスプレイ要素１２から反射する光１５とを用いて示されている。詳細に示していないが、ディスプレイ要素１２に入射する光１３の大部分は透明基板２０を透過され、光学スタック１６に向かうことになることを、当業者なら理解されよう。光学スタック１６に入射する光の一部分は光学スタック１６の部分反射層を透過されることになり、一部分は反射され、透明基板２０を通って戻ることになる。光学スタック１６を透過された光１３の部分は、可動反射層１４において反射され、透明基板２０に向かって（およびそれを通って）戻ることになる。光学スタック１６の部分反射層から反射された光と可動反射層１４から反射された光との間の（強め合うまたは弱め合う）干渉が、ディスプレイ要素１２から反射される光１５の（１つまたは複数の）波長を決定することになる。
【００３４】
光学スタック１６は、単一の層またはいくつかの層を含むことができる。その（１つまたは複数の）層は、電極層と、部分反射および部分透過層と、透明な誘電体層とのうちの１つまたは複数を含むことができる。いくつかの実施態様では、光学スタック１６は、電気伝導性であり、部分的に透明で、部分的に反射性であり、たとえば、透明基板２０上に上記の層のうちの１つまたは複数を堆積させることによって、作製され得る。電極層は、様々な金属、たとえば酸化インジウムスズ（ＩＴＯ）など、様々な材料から形成され得る。部分反射層は、様々な金属、たとえば、クロム（Ｃｒ）、半導体、および誘電体など、部分的に反射性である様々な材料から形成され得る。部分反射層は、材料の１つまたは複数の層から形成され得、それらの層の各々は、単一の材料または材料の組合せから形成され得る。いくつかの実施態様では、光学スタック１６は、光吸収体と導体の両方として働く、金属または半導体の単一の半透明の膜（thickness）を含むことができるが、（たとえば、光学スタック１６の、またはＩＭＯＤの他の構造の）異なる、より伝導性の高い層または部分が、ＩＭＯＤディスプレイ要素間で信号をバスで運ぶ（bus）ように働くことができる。光学スタック１６は、１つまたは複数の伝導性層または伝導性／吸収層をカバーする、１つまたは複数の絶縁層または誘電体層をも含むことができる。
【００３５】
いくつかの実施態様では、光学スタック１６の（１つまたは複数の）層は、以下でさらに説明するように、平行ストリップにパターニングされ得、ディスプレイデバイスにおける行電極を形成し得る。当業者によって理解されるように、「パターニング」という用語は、本明細書では、マスキングプロセスならびにエッチングプロセスを指すために使用される。いくつかの実施態様では、アルミニウム（Ａｌ）などの高伝導性および反射性材料が可動反射層１４のために使用され得、これらのストリップはディスプレイデバイスにおける列電極を形成し得る。可動反射層１４は、（光学スタック１６の行電極に直交する）１つまたは複数の堆積された金属層の一連の平行ストリップとして形成されて、ポスト１８の上に堆積された列とポスト１８間に堆積された介在する犠牲材料とを形成し得る。犠牲材料がエッチング除去されると、画定されたギャップ１９または光キャビティが可動反射層１４と光学スタック１６との間に形成され得る。いくつかの実施態様では、ポスト１８間の間隔は約１〜１０００μｍであり得、ギャップ１９は１０，０００オングストローム（Å）未満であり得る。
【００３６】
いくつかの実施態様では、ＩＭＯＤの各ディスプレイ要素は、作動状態にあろうと緩和状態にあろうと、本質的に、固定反射層および可動反射層によって形成されるキャパシタである。電圧が印加されないとき、可動反射層１４は、図１中の左側のディスプレイ要素１２によって示されるように、機械的に緩和した状態にとどまり、可動反射層１４と光学スタック１６との間のギャップ１９がある。しかしながら、電位差、たとえば、電圧が、選択された行および列のうちの少なくとも１つに印加されたとき、対応するディスプレイ要素における行電極と列電極との交差部に形成されたキャパシタは帯電し、静電力がそれらの電極を引き合わせる。印加された電圧がしきい値を超える場合、可動反射層１４は、変形し、光学スタック１６の近くにまたはそれに対して移動することができる。光学スタック１６内の誘電体層（図示せず）が、図１中の右側の作動ディスプレイ要素１２によって示されるように、短絡を防ぎ、層１４と層１６との間の分離距離を制御し得る。その挙動は、印加電位差の極性にかかわらず同じである。いくつかの事例ではアレイ中の一連のディスプレイ要素が「行」または「列」と呼ばれることがあるが、ある方向を「行」と呼び、別の方向を「列」と呼ぶことは恣意的であることを、当業者は容易に理解されよう。言い換えれば、いくつかの配向では、行は列と見なされ得、列は行であると見なされ得る。さらに、ディスプレイ要素は、直交する行および列に一様に配置されるか（「アレイ」）、または、たとえば、互いに対して一定の位置オフセットを有する、非線形構成で配置され得る（「モザイク」）。「アレイ」および「モザイク」という用語は、いずれかの構成を指し得る。したがって、ディスプレイは、「アレイ」または「モザイク」を含むものとして言及されるが、その要素自体は、いかなる事例においても、互いに直交して配置される必要がなく、または一様な分布で配設される必要がなく、非対称形状および不均等に分布された要素を有する配置を含み得る。
【００３７】
図２は、３×３干渉変調器ディスプレイを組み込んだ電子デバイスを示すシステムブロック図の一例を示す。電子デバイスは、１つまたは複数のソフトウェアモジュールを実行するように構成され得るプロセッサ２１を含む。オペレーティングシステムを実行することに加えて、プロセッサ２１は、ウェブブラウザ、電話アプリケーション、電子メールプログラム、または他のソフトウェアアプリケーションを含む、１つまたは複数のソフトウェアアプリケーションを実行するように構成され得る。
【００３８】
プロセッサ２１は、アレイドライバ２２と通信するように構成され得る。アレイドライバ２２は、たとえば、ディスプレイアレイまたはパネル３０に、信号を与える行ドライバ回路２４と列ドライバ回路２６とを含むことができる。図２には、図１に示したＩＭＯＤディスプレイデバイスの断面が線１−１によって示されている。図２は明快のためにＩＭＯＤの３×３アレイを示しているが、ディスプレイアレイ３０は、極めて多数のＩＭＯＤを含んでいることがあり、列におけるＩＭＯＤの数とは異なる数のＩＭＯＤを行において有し得、その逆も同様である。
【００３９】
図３は、図１の干渉変調器についての可動反射層位置対印加電圧を示す図の一例を示す。ＭＥＭＳ干渉変調器の場合、行／列（すなわち、コモン／セグメント）書込みプロシージャが、図３に示すこれらのデバイスのヒステリシス特性を利用し得る。干渉変調器は、可動反射層またはミラーに緩和状態から作動状態に変更させるために、たとえば、約１０ボルトの電位差を必要とし得る。電圧がその値から低減されると、電圧が低下して、たとえば、１０ボルトより下に戻ったとき、可動反射層はそれの状態を維持するが、電圧が２ボルトより下に低下するまで、可動反射層は完全には緩和しない。したがって、図３に示すように、印加電圧のウィンドウがある電圧の範囲、約３〜７ボルトが存在し、そのウィンドウ内でデバイスは緩和状態または作動状態のいずれかで安定している。これは、本明細書では「ヒステリシスウィンドウ」または「安定性ウィンドウ」と呼ばれる。図３のヒステリシス特性を有するディスプレイアレイ３０の場合、行／列書込みプロシージャは、一度に１つまたは複数の行をアドレス指定するように設計され得、その結果、所与の行のアドレス指定中に、作動されるべきアドレス指定された行におけるディスプレイ要素は、約１０ボルトの電圧差にさらされ、緩和されるべきディスプレイ要素は、ほぼ０ボルトの電圧差にさらされる。アドレス指定後に、それらのディスプレイ要素は、それらが前のストローブ状態にとどまるような、約５ボルトの定常状態またはバイアス電圧差にさらされる。この例では、アドレス指定された後に、各ディスプレイ要素は、約３〜７ボルトの「安定性ウィンドウ」内の電位差を経験する。このヒステリシス特性の特徴は、たとえば、図１に示した、ディスプレイ要素設計が、同じ印加電圧条件下で作動または緩和のいずれかの既存の状態で安定したままであることを可能にする。各ＩＭＯＤディスプレイ要素は、作動状態にあろうと緩和状態にあろうと、本質的に、固定反射層および可動反射層によって形成されるキャパシタであるので、この安定状態は、電力を実質的に消費するかまたは失うことなしに、ヒステリシスウィンドウ内の定常電圧において保持され得る。その上、印加電圧電位が実質的に固定のままである場合、電流は本質的にほとんどまたはまったくＩＭＯＤディスプレイ要素に流れ込まない。
【００４０】
いくつかの実施態様では、所与の行におけるディスプレイ要素の状態の所望の変化（もしあれば）に従って、列電極のセットに沿って「セグメント」電圧の形態のデータ信号を印加することによって、画像のフレームが作成され得る。次に、フレームが一度に１行書き込まれるように、アレイの各行がアドレス指定され得る。第１の行におけるディスプレイ要素に所望のデータを書き込むために、第１の行におけるディスプレイ要素の所望の状態に対応するセグメント電圧が列電極上に印加され得、特定の「コモン」電圧または信号の形態の第１の行パルスが第１の行電極に印加され得る。次いで、セグメント電圧のセットは、第２の行におけるディスプレイ要素の状態の所望の変化（もしあれば）に対応するように変更され得、第２のコモン電圧が第２の行電極に印加され得る。いくつかの実施態様では、第１の行におけるディスプレイ要素は、列電極に沿って印加されたセグメント電圧の変化による影響を受けず、第１のコモン電圧行パルス中にそれらのピクセルが設定された状態にとどまる。このプロセスは、画像フレームを生成するために、一連の行全体、または代替的に、一連の列全体について、連続方式で繰り返され得る。フレームは、何らかの所望の数のフレーム毎秒でこのプロセスを断続的に反復することによって、新しい画像データでリフレッシュおよび／または更新され得る。
【００４１】
各ディスプレイ要素の両端間に印加されるセグメント信号とコモン信号の組合せ（すなわち、各ディスプレイ要素の両端間の電位差）は、各ディスプレイ要素の得られる状態を決定する。図４は、様々なコモン電圧およびセグメント電圧が印加されたときの干渉変調器の様々な状態を示す表の一例を示している。当業者によって容易に理解されるように、「セグメント」電圧は、列電極または行電極のいずれかに印加され得、「コモン」電圧は、列電極または行電極のうちの他方に印加され得る。
【００４２】
図４に（ならびに図５Ｂに示すタイミング図に）示すように、開放電圧（release voltage）ＶＣＲＥＬがコモンラインに沿って印加されたとき、コモンラインに沿ったすべての干渉変調器要素は、セグメントラインに沿って印加された電圧、すなわち、高いセグメント電圧ＶＳＨおよび低いセグメント電圧ＶＳＬにかかわらず、代替的に開放または非作動状態と呼ばれる、緩和状態に入れられることになる。特に、開放電圧ＶＣＲＥＬがコモンラインに沿って印加されると、そのディスプレイ要素のための対応するセグメントラインに沿って高いセグメント電圧ＶＳＨが印加されたときも、低いセグメント電圧ＶＳＬが印加されたときも、変調器の両端間の潜在的な電圧（代替的にディスプレイ要素電圧と呼ばれる）は緩和ウィンドウ（図３参照。開放ウィンドウとも呼ばれる）内にある。
【００４３】
高い保持電圧ＶＣＨＯＬＤ＿Ｈまたは低い保持電圧ＶＣＨＯＬＤ＿Ｌなどの保持電圧がコモンライン上に印加されたとき、干渉変調器の状態は一定のままであることになる。たとえば、緩和ＩＭＯＤは緩和位置にとどまることになり、作動ＩＭＯＤは作動位置にとどまることになる。保持電圧は、対応するセグメントラインに沿って高いセグメント電圧ＶＳＨが印加されたときも、低いセグメント電圧ＶＳLが印加されたときも、ディスプレイ要素電圧が安定性ウィンドウ内にとどまることになるように、選択され得る。したがって、セグメント電圧スイング（voltage swing）、すなわち、高いＶＳＨと低いセグメント電圧ＶＳＬとの間の差は、正または負のいずれかの安定性ウィンドウの幅よりも小さい。
【００４４】
高いアドレス指定電圧ＶＣＡＤＤ＿Ｈまたは低いアドレス指定電圧ＶＣＡＤＤ＿Ｌなどのアドレス指定または作動電圧がコモンライン上に印加されたとき、それぞれのセグメントラインに沿ったセグメント電圧の印加によって、データがそのコモンラインに沿った変調器に選択的に書き込まれ得る。セグメント電圧は、作動が印加されたセグメント電圧に依存するように選択され得る。アドレス指定電圧がコモンラインに沿って印加されたとき、一方のセグメント電圧の印加は、安定性ウィンドウ内のディスプレイ要素電圧をもたらし、ディスプレイ要素が非作動のままであることを引き起こすことになる。対照的に、他方のセグメント電圧の印加は、安定性ウィンドウを越えるディスプレイ要素電圧をもたらし、ディスプレイ要素の作動をもたらすことになる。作動を引き起こす特定のセグメント電圧は、どのアドレス指定電圧が使用されるかに応じて変動することができる。いくつかの実施態様では、高いアドレス指定電圧ＶＣＡＤＤ＿Ｈがコモンラインに沿って印加されたとき、高いセグメント電圧ＶＳＨの印加は、変調器がそれの現在位置にとどまることを引き起こすことがあり、低いセグメント電圧ＶＳＬの印加は、変調器の作動を引き起こすことがある。当然の結果として、低いアドレス指定電圧ＶＣＡＤＤ＿Ｌが印加されたとき、セグメント電圧の影響は反対であり、高いセグメント電圧ＶＳHは変調器の作動を引き起こし、低いセグメント電圧ＶＳＬは変調器の状態に影響しない（すなわち、安定したままである）ことがある。
【００４５】
いくつかの実施態様では、常に変調器の両端間で同じ極性電位差を引き起こす保持電圧、アドレス電圧、およびセグメント電圧が使用され得る。いくつかの他の実施態様では、変調器の電位差の極性を交番する信号が使用され得る。変調器の両端間の極性の交番（すなわち、書込みプロシージャの極性の交番）は、単一の極性の反復書込み動作後に起こることがある電荷蓄積を低減または抑止し得る。
【００４６】
図５Ａは、図２の３×３干渉変調器ディスプレイにおけるディスプレイデータのフレームを示す図の一例を示す。図５Ｂは、図５Ａに示すディスプレイデータのフレームを書き込むために使用され得るコモン信号およびセグメント信号についてのタイミング図の一例を示す。それらの信号は、たとえば、図２の３×３アレイに印加され得、これは、図５Ａに示すライン時間６０ｅディスプレイ配置を最終的にもたらすことになる。図５Ａ中の作動変調器は暗状態にあり、すなわち、その状態では、反射光の実質的部分が、たとえば、閲覧者に、暗いアピアランスをもたらすように可視スペクトルの外にある。図５Ａに示すフレームを書き込むより前に、ディスプレイ要素は任意の状態にあることがあるが、図５Ｂのタイミング図に示す書込みプロシージャは、各変調器が、第１のライン時間６０ａの前に、開放されており、非作動状態に属すると仮定する。
【００４７】
第１のライン時間６０ａ中に、開放電圧７０がコモンライン１上に印加され、コモンライン２上に印加される電圧が、高い保持電圧７２において始まり、開放電圧７０に移動し、低い保持電圧７６がコモンライン３に沿って印加される。したがって、コモンライン１に沿った変調器（コモン１，セグメント１）、（１，２）および（１，３）は、第１のライン時間６０ａの持続時間の間、緩和または非作動状態にとどまり、コモンライン２に沿った変調器（２，１）、（２，２）および（２，３）は、緩和状態に移動することになり、コモンライン３に沿った変調器（３，１）、（３，２）および（３，３）は、それらの前の状態にとどまることになる。図４を参照すると、コモンライン１、２または３のいずれも、ライン時間６０ａ中に作動を引き起こす電圧レベルにさらされていないので（すなわち、ＶＣＲＥＬ−緩和、およびＶＣＨＯＬＤ＿Ｌ−安定）、セグメントライン１、２および３に沿って印加されたセグメント電圧は、干渉変調器の状態に影響しないことになる。
【００４８】
第２のライン時間６０ｂ中に、コモンライン１上の電圧は高い保持電圧７２に移動し、コモンライン１に沿ったすべての変調器は、アドレス指定または作動電圧がコモンライン１上に印加されなかったので、印加されたセグメント電圧にかかわらず、緩和状態にとどまる。コモンライン２に沿った変調器は、開放電圧７０の印加により、緩和状態にとどまり、コモンライン３に沿った変調器（３，１）、（３，２）および（３，３）は、コモンライン３に沿った電圧が開放電圧７０に移動するとき、緩和することになる。
【００４９】
第３のライン時間６０ｃ中に、コモンライン１は、コモンライン１上に高いアドレス電圧７４を印加することによってアドレス指定される。このアドレス電圧の印加中に低いセグメント電圧６４がセグメントライン１および２に沿って印加されるので、変調器（１，１）および（１，２）の両端間のディスプレイ要素電圧は変調器の正の安定性ウィンドウの上端よりも大きく（すなわち、電圧差は、あらかじめ定義されたしきい値を超えた）、変調器（１，１）および（１，２）は作動される。逆に、高いセグメント電圧６２がセグメントライン３に沿って印加されるので、変調器（１，３）の両端間のディスプレイ要素電圧は、変調器（１，１）および（１，２）のピクセル電圧よりも小さく、変調器の正の安定性ウィンドウ内にとどまり、したがって変調器（１，３）は緩和したままである。また、ライン時間６０ｃ中に、コモンライン２に沿った電圧は低い保持電圧７６に減少し、コモンライン３に沿った電圧は開放電圧７０にとどまり、コモンライン２および３に沿った変調器を緩和位置のままにする。
【００５０】
第４のライン時間６０ｄ中に、コモンライン１上の電圧は、高い保持電圧７２に戻り、コモンライン１に沿った変調器を、それらのそれぞれのアドレス指定された状態のままにする。コモンライン２上の電圧は低いアドレス電圧７８に減少される。高いセグメント電圧６２がセグメントライン２に沿って印加されるので、変調器（２，２）の両端間のディスプレイ要素電圧は、変調器の負の安定性ウィンドウの下側端部（lower end）を下回り、変調器（２，２）が作動することを引き起こす。逆に、低いセグメント電圧６４がセグメントライン１および３に沿って印加されるので、変調器（２，１）および（２，３）は緩和位置にとどまる。コモンライン３上の電圧は、高い保持電圧７２に増加し、コモンライン３に沿った変調器を緩和状態のままにする。次いで、コモンライン２上の電圧は遷移して低い保持電圧７６に戻る。
【００５１】
最後に、第５のライン時間６０ｅ中に、コモンライン１上の電圧は高い保持電圧７２にとどまり、コモンライン２上の電圧は低い保持電圧７６にとどまり、コモンライン１および２に沿った変調器を、それらのそれぞれのアドレス指定された状態のままにする。コモンライン３上の電圧は、コモンライン３に沿った変調器をアドレス指定するために、高いアドレス電圧７４に増加する。低いセグメント電圧６４がセグメントライン２および３上に印加されるので、変調器（３，２）および（３，３）は作動するが、セグメントライン１に沿って印加された高いセグメント電圧６２は、変調器（３，１）が緩和位置にとどまることを引き起こす。したがって、第５のライン時間６０ｅの終わりに、３×３ディスプレイ要素アレイは、図５Ａに示す状態にあり、他のコモンライン（図示せず）に沿った変調器がアドレス指定されているときに起こり得るセグメント電圧の変動にかかわらず、保持電圧がコモンラインに沿って印加される限り、その状態にとどまることになる。
【００５２】
図５Ｂのタイミング図では、所与の書込みプロシージャ（すなわち、ライン時間６０ａ〜６０ｅ）は、高い保持およびアドレス電圧、または低い保持およびアドレス電圧のいずれかの使用を含むことができる。書込みプロシージャが所与のコモンラインについて完了されると（また、コモン電圧が、作動電圧と同じ極性を有する保持電圧に設定されると）、ディスプレイ要素電圧は、所与の安定性ウィンドウ内にとどまり、開放電圧がそのコモンライン上に印加されるまで、緩和ウィンドウを通過しない。さらに、各変調器が、変調器をアドレス指定するより前に書込みプロシージャの一部として開放されるので、開放時間ではなく変調器の作動時間が、必要なライン時間を決定し得る。詳細には、変調器の開放時間が作動時間よりも大きい実施態様では、開放電圧は、図５Ｂに示すように、単一のライン時間よりも長く印加され得る。いくつかの他の実施態様では、コモンラインまたはセグメントラインに沿って印加される電圧が、異なる色の変調器など、異なる変調器の作動電圧および開放電圧の変動を相殺するように変動し得る。
【００５３】
上記に記載した原理に従って動作する干渉変調器の構造の詳細は大きく異なり得る。たとえば、図６Ａ〜図６Ｅは、可動反射層１４とそれの支持構造とを含む、干渉変調器の異なる実施態様の断面図の例を示している。図６Ａは、金属材料のストリップ、すなわち、可動反射層１４が、基板２０から直角に延在する支持体１８上に堆積される、図１の干渉変調器ディスプレイの部分断面図の一例を示している。図６Ｂでは、各ＩＭＯＤの可動反射層１４は、概して形状が正方形または長方形であり、コーナーにおいてまたはその近くでテザー３２に接して支持体に取り付けられる。図６Ｃでは、可動反射層１４は、概して形状が正方形または長方形であり、フレキシブルな金属を含み得る変形可能層３４から吊るされる。変形可能層３４は、可動反射層１４の外周の周りで基板２０に直接または間接的に接続することがある。これらの接続は、本明細書では支持ポストと呼ばれる。図６Ｃに示す実施態様は、変形可能層３４によって行われる可動反射層１４の機械的機能からのそれの光学的機能の分離から派生する追加の利益を有する。この分離は、反射層１４のために使用される構造設計および材料と、変形可能層３４のために使用される構造設計および材料とが、互いとは無関係に最適化されることを可能にする。
【００５４】
図６Ｄは、可動反射層１４が反射副層（reflective sub-layer）１４ａを含む、ＩＭＯＤの別の例を示している。可動反射層１４は、支持ポスト１８などの支持構造上に載る。支持ポスト１８は、たとえば、可動反射層１４が緩和位置にあるとき、可動反射層１４と光学スタック１６との間にギャップ１９が形成されるように、下側静止電極（すなわち、図示のＩＭＯＤにおける光学スタック１６の一部）からの可動反射層１４の分離を可能にする。可動反射層１４は、電極として働くように構成され得る伝導性層１４ｃと、支持層１４ｂとをも含むことができる。この例では、伝導性層１４ｃは、基板２０から遠位にある支持層１４ｂの一方の面に配設され、反射副層１４ａは、基板２０の近位にある支持層１４ｂの他方の面に配設される。いくつかの実施態様では、反射副層１４ａは、伝導性であることがあり、支持層１４ｂと光学スタック１６との間に配設され得る。支持層１４ｂは、誘電材料、たとえば、酸窒化ケイ素（ＳｉＯＮ）または二酸化ケイ素（ＳｉＯ２）の、１つまたは複数の層を含むことができる。いくつかの実施態様では、支持層１４ｂは、たとえば、ＳｉＯ２／ＳｉＯＮ／ＳｉＯ２３層スタックなど、複数の層のスタックであり得る。反射副層１４ａと伝導性層１４ｃのいずれかまたは両方は、たとえば、約０．５％の銅（Ｃｕ）または別の反射金属材料を用いた、アルミニウム（Ａｌ）合金を含むことができる。誘電支持層１４ｂの上および下で伝導性層１４ａ、１４ｃを採用することは、応力のバランスをとり、伝導の向上を与えることができる。いくつかの実施態様では、反射副層１４ａおよび伝導性層１４ｃは、可動反射層１４内の特定の応力プロファイルを達成することなど、様々な設計目的で、異なる材料から形成され得る。
【００５５】
図６Ｄに示すように、いくつかの実施態様はブラックマスク構造２３をも含むことができる。ブラックマスク構造２３は、周辺光または迷光を吸収するために、光学不活性領域において（たとえば、ディスプレイ要素間にまたはポスト１８の下に）形成され得る。ブラックマスク構造２３はまた、光がディスプレイの不活性部分から反射されることまたはそれを透過されることを抑止し、それによりコントラスト比を増加させることによって、ディスプレイデバイスの光学的特性を改善することができる。さらに、ブラックマスク構造２３は、伝導性であり、電気的バス層として機能するように構成され得る。いくつかの実施態様では、行電極は、接続された行電極の抵抗を低減するために、ブラックマスク構造２３に接続され得る。ブラックマスク構造２３は、堆積およびパターニング技法を含む様々な方法を使用して形成され得る。ブラックマスク構造２３は１つまたは複数の層を含むことができる。たとえば、いくつかの実施態様では、ブラックマスク構造２３は、光吸収器として働くモリブデンクロム（ＭｏＣｒ）層と、ＳｉＯ２層と、反射体およびバス層として働く、アルミニウム合金とを含み、それぞれ、約３０〜８０Å、５００〜１０００Å、および５００〜６０００Åの範囲内の厚さである。１つまたは複数の層は、たとえば、ＭｏＣｒ層およびＳｉＯ２層の場合は、カーボンテトラフルオロメタン（ＣＦ4）および／または酸素（Ｏ２）、ならびにアルミニウム合金層の場合は、塩素（Ｃｌ２）および／または三塩化ホウ素（ＢＣｌ３）を含む、フォトリソグラフィおよびドライエッチングを含む、様々な技法を使用してパターニングされ得る。いくつかの実施態様では、ブラックマスク２３はエタロンまたは干渉スタック構造であり得る。そのような干渉スタックブラックマスク構造２３では、伝導性吸収体は、各行または列の光学スタック１６における下側静止電極間で信号を送信するかまたは信号をバスで運ぶために使用され得る。いくつかの実施態様では、スペーサ層３５が、ブラックマスク２３中の伝導性層から吸収層１６ａを概して電気的に絶縁するのに、役立つことができる。
【００５６】
図６Ｅは、可動反射層１４が自立している、ＩＭＯＤの別の例を示している。図６Ｄとは対照的に、図６Ｅの実施態様は支持ポスト１８を含まない。代わりに、可動反射層１４は、複数のロケーションにおいて、下にある光学スタック１６に接触し、可動反射層１４の湾曲は、干渉変調器の両端間の電圧が作動を引き起こすには不十分であるとき、可動反射層１４が図６Ｅの非作動位置に戻るという、十分な支持を与える。複数のいくつかの異なる層を含んでいることがある光学スタック１６は、ここでは明快のために、光吸収体１６ａと誘電体１６ｂとを含む状態で示されている。いくつかの実施態様では、光吸収体１６ａは、固定電極としても、部分反射層としても働き得る。
【００５７】
図６Ａ〜図６Ｅに示す実施態様などの実施態様では、ＩＭＯＤは直視型デバイスとして機能し、直視型デバイスでは、画像が、透明基板２０の正面、すなわち、変調器が配置された面の反対の面から、閲覧される。これらの実施態様では、デバイスの背面部分（すなわち、たとえば、図６Ｃに示す変形可能層３４を含む、可動反射層１４の背後のディスプレイデバイスの任意の部分）は、反射層１４がデバイスのそれらの部分を光学的に遮蔽するので、ディスプレイデバイスの画質に影響を及ぼすことまたは悪影響を及ぼすことなしに、構成され、作用され得る。たとえば、いくつかの実施態様では、バス構造（図示せず）が可動反射層１４の背後に含まれ得、これは、電圧アドレス指定およびそのようなアドレス指定に起因する移動など、変調器の電気機械的特性から変調器の光学的特性を分離する能力を与える。さらに、図６Ａ〜図６Ｅの実施態様は、たとえばパターニングなどの処理を簡略化することができる。
【００５８】
図７は、干渉変調器のための製造プロセス８０を示す流れ図の一例を示しており、図８Ａ〜図８Ｅは、そのような製造プロセス８０の対応する段階の断面概略図の例を示している。いくつかの実施態様では、製造プロセス８０は、図７に示されていない他のブロックに加えて、たとえば、図１および図６に示す一般的なタイプの干渉変調器を製造するために実施され得る。図１、図６および図７を参照すると、プロセス８０はブロック８２において開始し、基板２０上への光学スタック１６の形成を伴う。図８Ａは、基板２０上で形成されたそのような光学スタック１６を示している。基板２０は、ガラスまたはプラスチックなどの透明基板であり得、それは、フレキシブルであるかまたは比較的固く曲がらないことがあり、光学スタック１６の効率的な形成を可能にするために、事前準備プロセス、たとえば、洗浄にかけられていることがある。上記で説明したように、光学スタック１６は、電気伝導性であり、部分的に透明で、部分的に反射性であることがあり、たとえば、透明基板２０上に、所望の特性を有する１つまたは複数の層を堆積させることによって、作製され得る。図８Ａでは、光学スタック１６は、副層１６ａおよび１６ｂを有する多層構造を含むが、いくつかの他の実施態様では、より多いまたはより少ない副層が含まれ得る。いくつかの実施態様では、副層１６ａ、１６ｂのうちの１つは、組み合わせられた導体／吸収体副層１６ａなど、光吸収特性と伝導特性の両方で構成され得る。さらに、副層１６ａ、１６ｂのうちの１つまたは複数は、平行ストリップにパターニングされ得、ディスプレイデバイスにおける行電極を形成し得る。そのようなパターニングは、当技術分野で知られているマスキングおよびエッチングプロセスまたは別の好適なプロセスによって実行され得る。いくつかの実施態様では、副層１６ａ、１６ｂのうちの１つは、１つまたは複数の金属層（たとえば、１つまたは複数の反射層および／または伝導性層）上に堆積された副層１６ｂなど、絶縁層または誘電体層であり得る。さらに、光学スタック１６は、ディスプレイの行を形成する個々の平行ストリップにパターニングされ得る。
【００５９】
プロセス８０はブロック８４において続き、光学スタック１６上への犠牲層２５の形成を伴う。犠牲層２５は、キャビティ１９を形成するために後で（たとえば、ブロック９０において）除去され、したがって、犠牲層２５は、図１に示した得られた干渉変調器１２には示されていない。図８Ｂは、光学スタック１６上で形成された犠牲層２５を含む、部分的に作製されたデバイスを示している。光学スタック１６上での犠牲層２５の形成は、後続の除去後に、所望の設計サイズを有するギャップまたはキャビティ１９（図１および図８Ｅも参照）を与えるように選択された厚さの、モリブデン（Ｍｏ）またはアモルファスシリコン（Ｓｉ）など、フッ化キセノン（ＸｅＦ２）エッチング可能材料の堆積を含み得る。犠牲材料の堆積は、物理蒸着（ＰＶＤ、たとえば、スパッタリング）、プラズマ強化化学蒸着（ＰＥＣＶＤ）、熱化学蒸着（熱ＣＶＤ）、またはスピンコーティングなど、堆積技法を使用して行われ得る。
【００６０】
プロセス８０はブロック８６において続き、支持構造、たとえば、図１、図６および図８Ｃに示すポスト１８の形成を伴う。ポスト１８の形成は、支持構造開口を形成するために犠牲層２５をパターニングすることと、次いで、ＰＶＤ、ＰＥＣＶＤ、熱ＣＶＤ、またはスピンコーティングなど、堆積方法を使用して、ポスト１８を形成するために開口中に材料（たとえば、ポリマーまたは無機材料、たとえば、酸化ケイ素）を堆積させることとを含み得る。いくつかの実施態様では、犠牲層中に形成された支持構造開口は、ポスト１８の下側端部が図６Ａに示すように基板２０に接触するように、犠牲層２５と光学スタック１６の両方を通って、下にある基板２０まで延在することがある。代替的に、図８Ｃに示すように、犠牲層２５中に形成された開口は、犠牲層２５は通るが、光学スタック１６は通らないで、延在することがある。たとえば、図８Ｅは、光学スタック１６の上側表面（upper surface）と接触している支持ポスト１８の下側端部を示している。ポスト１８、または他の支持構造は、犠牲層２５上に支持構造材料の層を堆積させることと、犠牲層２５中の開口から離れて配置された支持構造材料の部分を除去してパターニングすることとによって形成され得る。支持構造は、図８Ｃに示すように開口内に配置され得るが、少なくとも部分的に、犠牲層２５の一部分の上で延在することもある。上述のように、犠牲層２５および／または支持ポスト１８のパターニングは、パターニングおよびエッチングプロセスによって実行され得るが、代替エッチング方法によっても実行され得る。
【００６１】
プロセス８０はブロック８８において続き、図１、図６および図８Ｄに示す可動反射層１４などの可動反射層または膜の形成を伴う。可動反射層１４は、１つまたは複数のパターニング、マスキング、および／またはエッチングステップとともに、１つまたは複数の堆積ステップ、たとえば、反射層（たとえば、アルミニウム、アルミニウム合金）堆積を採用することによって、形成され得る。可動反射層１４は、電気伝導性であり、電気伝導性層（electrically conductive layer）と呼ばれることがある。いくつかの実施態様では、可動反射層１４は、図８Ｄに示すように複数の副層１４ａ、１４ｂ、１４ｃを含み得る。いくつかの実施態様では、副層１４ａ、１４ｃなど、副層のうちの１つまたは複数は、それらの光学的特性のために選択された高反射性副層を含み得、別の副層１４ｂは、それの機械的特性のために選択された機械的副層を含み得る。犠牲層２５は、ブロック８８において形成された部分的に作製された干渉変調器中に依然として存在するので、可動反射層１４は、一般にこの段階では可動でない。犠牲層２５を含んでいる部分的に作製されたＩＭＯＤは、本明細書では「非開放（unreleased）」ＩＭＯＤと呼ばれることもある。図１に関して上記で説明したように、可動反射層１４は、ディスプレイの列を形成する個々の平行ストリップにパターニングされ得る。
【００６２】
プロセス８０はブロック９０において続き、キャビティ、たとえば、図１、図６および図８Ｅに示すキャビティ１９の形成を伴う。キャビティ１９は、（ブロック８４において堆積された）犠牲材料２５をエッチャントにさらすことによって形成され得る。たとえば、ＭｏまたはアモルファスＳｉなどのエッチング可能犠牲材料が、ドライ化学エッチングによって、たとえば、一般に、キャビティ１９を囲む構造に対して選択的に除去される、所望の量の材料を除去するのに有効である期間の間、固体ＸｅＦ２から派生した蒸気などの気体または蒸気エッチャントに犠牲層２５をさらすことによって、除去され得る。他のエッチング方法、たとえば、ウェットエッチングおよび／またはプラズマエッチングも使用され得る。犠牲層２５がブロック９０中に除去されるので、可動反射層１４は、一般に、この段階後に可動となる。犠牲材料２５の除去後に、得られた完全にまたは部分的に作製されたＩＭＯＤは、本明細書では「開放」ＩＭＯＤと呼ばれることがある。
【００６３】
上述されたように、図３は、分岐干渉変調器のヒステリシス特性の一例を示す。図２に示されたアレイなどの分岐干渉変調器のアレイでは、各分岐干渉変調器は、わずかに異なるヒステリシス特性を有することができる。
【００６４】
図９は、分岐干渉変調器のアレイのいくつかの部材について、可動反射ミラー位置対印加電圧を示す図の一例を示す。この図示された実施態様では、したがって、ディスプレイ要素は、上述された特性を有する分岐干渉変調器である。下記でさらに記載される原理は、他のディスプレイ要素の実施態様にも適用可能であり得る。図９は図３に類似しているが、アレイ内の様々な変調器の間のヒステリシス曲線における変化を示す。（図９でＶＣＥＮＴとして表記される）中心電圧よりも上の高作動電圧において、および、中心電圧よりも下の低作動電圧において、各分岐干渉変調器は開放状態から作動状態に変化する。高作動電圧および低作動電圧は、図９でＶＡ値として表記される。中心電圧は、正のヒステリシスウィンドウと負のヒステリシスウィンドウの間の中点である。中点は、たとえば、外縁間の中間、内縁間の中間、または、２つのウィンドウの中点間の中間など、様々な方法で定義され得る。変調器のアレイの場合、中心電圧は、アレイの様々な変調器についての平均中心電圧として定義され得るか、または、すべての変調器についてのヒステリシスウィンドウの両極端間の中間として定義され得る。たとえば、図９を参照して、中心電圧は高作動電圧と低作動電圧との間の中間として定義され得る、たとえば、中心電圧は（ＶＡＭＡＸ＿Ｈ＋ＶＡＭＡＸ＿Ｌ）／２として定義され得る。実際的な問題として、分岐干渉変調器用の中心電圧は通常ゼロに近く、そうでないときでも、ヒステリシスウィンドウ間の中点を計算する様々な方法は、実質的に同じ値に達するので、この値がどのように決定されるかは特に重要ではない。中心電圧がゼロからオフセットされるそれらの実施態様では、この偏差は電圧オフセットと呼ばれる場合がある。同様に、中心電圧よりも上の高開放電圧において、および、中心電圧よりも下の低開放電圧において、分岐干渉変調器は作動状態から開放状態に変化する。高開放電圧および低開放電圧は、図９でＶＲ値として表記される。各分岐干渉変調器は一般にヒステリシスを表すが、ヒステリシスウィンドウの縁部は、アレイのすべての変調器に対して同一の電圧にはない。したがって、作動電圧および開放電圧は、アレイ内の異なる分岐干渉変調器について異なる場合がある。これにより、図４に関して上述された駆動方式などの駆動方式で使用されるべき電圧を決定することが困難になる可能性がある。
【００６５】
分岐干渉変調器のアレイは、図９に示されたいくつかの異なる電圧レベルによって特徴づけることができる。簡単のために、モノクロームアレイ用の電圧レベルを図９から図１０に関して最初に説明し、続いて図１１に関してカラーアレイを説明する。アレイは、少なくとも１つの分岐干渉変調器が開放状態から作動状態に変化する、中心電圧よりも上の最も低い電圧である高最小作動電圧（ＶＡＭＩＮ＿Ｈ）を有することができる。アレイは、すべての分岐干渉変調器が開放状態から作動状態に変化する、中心電圧よりも上の最も低い電圧である高最大作動電圧（ＶＡＭＡＸ＿Ｈ）を有することができる。アレイは、少なくとも１つの分岐干渉変調器が作動状態から開放状態に変化する、中心電圧よりも上の最も高い電圧である高最大開放電圧（ＶＲＭＡＸ＿Ｈ）を有することができる。アレイは、すべての分岐干渉変調器が作動状態から開放状態に変化する、中心電圧よりも上の最も高い電圧である高最小開放電圧（ＶＲＭＩＮ＿Ｈ）を有することができる。
【００６６】
高アレイ電圧とも呼ばれるこれらのアレイ電圧は、実質的に同時にディスプレイ内の分岐干渉変調器のすべてまたはサブセットに増加または減少する電圧を印加すること、および１つもしくは少しだけの分岐干渉変調器がいつ状態を変更したか、またはすべてもしくは実質的にすべての分岐干渉変調器がいつ状態を変更したかを観測することによって決定され得る。１つもしくは少しだけの分岐干渉変調器が状態を変更したとき、またはすべてもしくは実質的にすべての分岐干渉変調器が状態を変更したとき、観測者が電圧の値を認識することが可能なほど十分にゆっくりと、電圧は増加または減少され得る。本明細書で使用する観測者という用語は、人間の観測者と自動観測システムの両方を含む。自動観測システムは、たとえばおよびとりわけ、カメラ、デジタル画像プロセッサ、中央処理装置、ならびに制御および処理のソフトウェアを含むことができる。したがって、ＶＡＭＩＮ＿Ｈは、ただ１つまたは少しの分岐干渉変調器が開放状態から作動状態に変化したことを観測者または観測システムが検出する、中心電圧よりも上の最も低い電圧であり得るし、ＶＡＭＡＸ＿Ｈは、実質的にすべての分岐干渉変調器が開放状態から作動状態に変化した、中心電圧よりも上の最も低い電圧であり得るし、ＶＲＭＡＸ＿Ｈは、印加電圧が下降して戻ったとき、ただ１つまたは少しの分岐干渉変調器が作動状態から開放状態に変化したことを観測者または観測システムが検出する、中心電圧よりも上の最も高い電圧であり得るし、ＶＲＭＩＮ＿Ｈは、印加電圧が下降して戻ったとき、すべてまたは実質的にすべての分岐干渉変調器が作動状態から開放状態に変化した、中心電圧よりも上の最も高い電圧であり得る。
【００６７】
上述されたアレイ電圧は、正電圧ヒステリシスウィンドウ、たとえば中心電圧よりも上のヒステリシスウィンドウに関して記載されたが、アレイは、負電圧ヒステリシスウィンドウに関して記載された同様の電圧によってさらに特徴づけることができる。たとえば、アレイは、少なくとも１つの分岐干渉変調器が開放状態から作動状態に変化する、中心電圧よりも下の最も高い電圧である低最小作動電圧（ＶＡＭＩＮ＿Ｌ）を有することができる。アレイは、すべての分岐干渉変調器が開放状態から作動状態に変化する、中心電圧よりも下の最も高い電圧である低最大作動電圧（ＶＡＭＡＸ＿Ｌ）を有することができる。アレイは、少なくとも１つの分岐干渉変調器が作動状態から開放状態に変化する、中心電圧よりも下の最も低い電圧である低最大開放電圧（ＶＲＭＡＸ＿Ｌ）を有することができる。アレイは、すべての分岐干渉変調器が作動状態から開放状態に変化する、中心電圧よりも下の最も低い電圧である低最小開放電圧（ＶＲＭＩＮ＿Ｌ）を有することができる。ＶＡＭＩＮ＿Ｌ、ＶＡＭＡＸ＿Ｌ、ＶＲＭＡＸ＿Ｌ、およびＶＲＭＩＮ＿Ｌは、一括して低アレイ電圧と呼ぶことができる。
【００６８】
低アレイ電圧は、高アレイ電圧に関して上述された方式と同様の方式で決定され得る。たとえば、低アレイ電圧は、増加または減少する電圧を印加すると、状態における変化に気付く観測者または観測システムによって決定され得る。
【００６９】
図４に関して上述された駆動方式の特性は、駆動方式が偶発的な作動または開放なしにすべての分岐干渉変調器で動作するために、これらの高アレイ電圧および低アレイ電圧に関していくつかの不等式を定義するために使用され得る。
【００７０】
図４に示されたように、ＶＣＡＤＤ＿ＨおよびＶＳＨが分岐干渉変調器に印加されたとき、分岐干渉変調器は状態を変更しない。これがアレイ内の各分岐干渉について正しくなるために、いくつかの実施態様では、図４のＶＣＡＤＤ＿ＨとＶＳＨの間の差分は、式（１）に示されたように、図９のＶＡＭＩＮ＿Ｈよりも小さく、かつＶＲＭＡＸ＿Ｈよりも大きい可能性がある。
【数１】
2014512566.tif 000003
【００７１】
ＶＣＡＤＤ＿ＨおよびＶＳＬが分岐干渉変調器に印加されたとき、分岐干渉変調器は作動する。これがアレイ内の各分岐干渉変調器について正しくなるために、いくつかの実施態様では、ＶＣＡＤＤ＿ＨとＶＳＬの間の差分は、式（２）に示されたように、ＶＡＭＡＸ＿Ｈよりも大きい可能性がある。
【数２】
2014512566.tif 000004
【００７２】
ＶＣＨＯＬＤ＿Ｈ、および、ＶＳＨまたはＶＳＬのいずれかが分岐干渉変調器に印加されたとき、分岐干渉変調器は状態を変更しない。これがアレイ内の各分岐干渉変調器について正しくなるために、いくつかの実施態様では、ＶＣＨＯＬＤ＿ＨとＶＳＨまたはＶＳＬとの間の差分は、式（３）および式（４）に示されたように、ＶＡＭＩＮ＿Ｈよりも小さく、かつＶＲＭＡＸ＿Ｈよりも大きい可能性がある。
【数３】
2014512566.tif 000005
【数４】
2014512566.tif 000006
【００７３】
ＶＣＲＥＬ、および、ＶＳＨまたはＶＳＬのいずれかが分岐干渉変調器に印加されたとき、分岐干渉変調器は開放する。これがアレイ内の各分岐干渉変調器について正しくなるために、いくつかの実施態様では、ＶＣＲＥＬとＶＳＨまたはＶＳＬとの間の差分は、式（５）および式（６）に示されたように、ＶＲＭＩＮ＿Ｌよりも大きく、かつＶＲＭＩＮ＿Ｈよりも小さい可能性がある。
【数５】
2014512566.tif 000007
【数６】
2014512566.tif 000008
【００７４】
ＶＣＨＯＬＤ＿Ｌ、および、ＶＳＨまたはＶＳＬのいずれかが分岐干渉変調器に印加されたとき、分岐干渉変調器は状態を変更しない。これがアレイ内の各分岐干渉変調器について正しくなるために、いくつかの実施態様では、ＶＣＨＯＬＤ＿ＬとＶＳＨまたはＶＳＬとの間の差分は、式（７）および式（８）に示されたように、ＶＡＭＩＮ＿Ｌよりも大きく、かつＶＲＭＡＸ＿Ｌよりも小さい可能性がある。
【数７】
2014512566.tif 000009
【数８】
2014512566.tif 000010
【００７５】
ＶＣＡＤＤ＿ＬおよびＶＳＨが分岐干渉変調器に印加されたとき、分岐干渉変調器は作動する。これがアレイ内の各分岐干渉変調器について正しくなるために、いくつかの実施態様では、ＶＣＡＤＤ＿ＬとＶＳＨの間の差分は、式（９）に示されたように、ＶＡＭＡＸ＿Ｌよりも大きい可能性がある。
【数９】
2014512566.tif 000011
【００７６】
ＶＣＡＤＤ＿ＬおよびＶＳＬが分岐干渉変調器に印加されたとき、分岐干渉変調器は状態を変更しない。これがアレイ内の各分岐干渉について正しくなるために、いくつかの実施態様では、ＶＣＡＤＤ＿ＬとＶＳＬの間の差分は、式（１０）に示されたように、ＶＡＭＩＮ＿Ｌよりも大きく、かつＶＲＭＡＸ＿Ｌよりも小さい可能性がある。
【数１０】
2014512566.tif 000012
【００７７】
式（１）〜式（１０）に従って駆動方式電圧を選択することによって、分岐干渉変調器の偶発的な作動および開放が低減され得る。したがって、いくつかの実施態様では、ディスプレイを調整する方法は、ＶＡＭＡＸ＿Ｈ、ＶＡＭＩＮ＿Ｈ、ＶＲＭＡＸ＿Ｈ、ＶＲＭＩＮ＿Ｈ、ＶＡＭＡＸ＿Ｌ、ＶＡＭＩＮ＿Ｌ、ＶＲＭＡＸ＿Ｌ、ＶＲＭＩＮ＿Ｌなどの１つまたは複数のアレイ電圧を決定することと、決定されたアレイ電圧に基づいて、ＶＳＨ、ＶＳＬ、ＶＣＡＤＤ＿Ｈ、ＶＣＨＯＬＤ＿Ｈ、ＶＣＲＥＬ、ＶＣＨＯＬＤ＿Ｌ、およびＶＣＡＤＤ＿Ｌなどの１つまた複数の駆動方式電圧を決定することとを含む。決定された駆動方式電圧は、式（１）〜式（１０）の不等式のうちの１つまたは複数が満足されるように選択され得る。いくつかの実施態様では、決定された駆動方式電圧は、式（１）〜式（１０）の不等式のうちのすべてが満足されるように選択され得る。
【００７８】
駆動方式電圧の決定は、いくつかの仮定を用いて簡略化され得る。いくつかの実施態様では、対応する高駆動方式電圧および低駆動方式電圧は、互いの加法逆元として選択され得る。たとえば、いくつかの実施態様では、ＶＳＨがＶＳとして選択されＶＳＬが−ＶＳとして選択され、ＶＣＡＤＤ＿ＨがＶＣＡＤＤとして選択されＶＣＡＤＤ＿Ｌが−ＶＣＡＤＤとして選択され、ＶＣＨＯＬＤ＿ＨがＶＣＨＯＬＤとして選択されＶＣＨＯＬＤ＿Ｌが−ＶＣＨＯＬＤとして選択される。したがって、７つの変数ではなく、駆動方式電圧はただ４つの異なる変数、すなわち、ＶＳ、ＶＣＡＤＤ、ＶＣＨＯＬＤ、およびＶＲＥＬによって表され得る。
【００７９】
駆動方式電圧の決定は、対応する高アレイ電圧と低アレイ電圧が中心電圧に関して対称であると仮定することによってさらに簡略化され得る。たとえば、いくつかの実施態様では、ＶＡＭＡＸ＿ＨがＶＡＭＡＸであると仮定されＶＡＭＡＸ＿Ｌが−ＶＡＭＡＸ＋ＶＯＦＦＳＥＴであると仮定され、ＶＡＭＩＮ＿ＨがＶＡＭＩＮであると仮定されＶＡＭＩＮ＿Ｌが−ＶＡＭＩＮ＋ＶＯＦＦＳＥＴであると仮定され、ＶＲＭＡＸ＿ＨがＶＲＭＡＸであると仮定されＶＲＭＡＸ＿Ｌが−ＶＲＭＡＸ＋ＶＯＦＦＳＥＴであると仮定され、ＶＲＭＩＮ＿ＨがＶＲＭＩＮであると仮定されＶＲＭＩＮ＿Ｌが−ＶＲＭＩＮ＋ＶＯＦＦＳＥＴであると仮定される。いくつかの実施態様では、中心電圧はゼロである（ＶＯＦＦＳＥＴ＝０）と仮定される。したがって、いくつかの実施態様では、ＶＡＭＡＸ＿ＨがＶＡＭＡＸであると仮定されＶＡＭＡＸ＿Ｌが−ＶＡＭＡＸであると仮定され、ＶＡＭＩＮ＿ＨがＶＡＭＩＮであると仮定されＶＡＭＩＮ＿Ｌが−ＶＡＭＩＮであると仮定され、ＶＲＭＡＸ＿ＨがＶＲＭＡＸであると仮定されＶＲＭＡＸ＿Ｌが−ＶＲＭＡＸであると仮定され、ＶＲＭＩＮ＿ＨがＶＲＭＩＮであると仮定されＶＲＭＩＮ＿Ｌが−ＶＲＭＩＮであると仮定される。
【００８０】
これらの簡略化により、不等式の数は、（式（１）〜式（１０）で上記に示された）１０から（式（１１）〜式（１４）で下記に示された）４に減少する。
【００８１】
第１に、式（５）および式（６）によって暗示されたように、開放電圧ＶＲＥＬとセグメント電圧ＶＳの和は、アレイ内の実質的にすべての分岐干渉変調器の開放を保証するために、式（１１）に示されたようにＶＲＭＩＮよりも小さい可能性がある。
【数１１】
2014512566.tif 000013
【００８２】
第２に、式（２）および式（９）によって暗示されたように、アドレス電圧ＶＣADDとセグメント電圧ＶＳの和は、アレイ内の実質的にすべての分岐干渉変調器の作動を保証するために、式（１２）に示されたようにＶＡＭＡＸよりも大きい可能性がある。
【数１２】
2014512566.tif 000014
【００８３】
第３に、式（１）および式（１０）によって暗示されたように、アドレス電圧ＶＣADDとセグメント電圧ＶＳの間の差分は、アレイ内の分岐干渉変調器の偶発的な作動を低減するために、式（１３）に示されたようにＶＡＭＩＮよりも小さい可能性がある。
【数１３】
2014512566.tif 000015
【００８４】
第４に、式（３）および式（８）によって暗示されたように、保持電圧ＶＳとセグメント電圧ＶＳの間の差分は、アレイ内の分岐干渉変調器の偶発的な開放を低減するために、式（１４）に示されたようにＶＲＭＡＸよりも小さい可能性がある。
【数１４】
2014512566.tif 000016
【００８５】
式（１１）〜式（１４）が満足され、ＶＣＡＤＤがＶＣＨＯＬＤよりも大きい場合、式（１）〜式（１０）に基づく他の不等式も満足される。したがって、上述された簡略化により、決定されるべき駆動方式電圧の数が４つの不等式および４つの未知数の可解連立方程式に減少する。連立方程式の解は、４次元空間内の領域であり、この解に基づく特定の電圧の選択は困難である可能性がある。
【００８６】
駆動方式電圧の選択を簡略化するために、ＶＲＥＬは電圧オフセットＶＯＦＦＳＥＴとして選択され得る。電圧オフセットは、対応する高アレイ電圧と低アレイ電圧の平均に基づいて選択され得る。いくつかの実施態様では、ＶＯＦＦＳＥＴはゼロであると仮定される。したがって、いくつかの実施態様では、ＶＲＥＬはゼロとして選択される。
【００８７】
いくつかの実施態様では、利用可能なハードウェア電圧サプライヤによって決定されたように、ＶＡＤＤは、保持電圧ＶＣＨＯＬＤと２倍のセグメント電圧２ＶＳとの和として、式（１５）に従って選択される。
【数１５】
2014512566.tif 000017
【００８８】
これらの実施態様では、式（１１）〜式（１４）は、式（１６）〜式（１９）で下記に示されたように、４つの不等式と２つの未知数の連立方程式に減少され得る。
【数１６】
2014512566.tif 000018
【数１７】
2014512566.tif 000019
【数１８】
2014512566.tif 000020
【数１９】
2014512566.tif 000021
【００８９】
この連立方程式および「解空間」は、２次元グラフに示すことができる。
【００９０】
図１０は、駆動方式電圧を選択する際に使用され得る不等式を示すグラフの一例を示す。図１０に示されたように、ラインＥ１７、ラインＥ１８、およびラインＥ１９によって示された式（１７）〜式（１９）は、交差して軸ＶＳ−軸ＶＣＨＯＬＤを有する２次元空間内の三角形を形成する。三角形の領域は、Ｐ１、Ｐ２、およびＰ３によって表記された３点によって画定される。それらの点は、下記の式（２０）〜式（２２）によって決定される。
【数２０】
2014512566.tif 000022
【数２１】
2014512566.tif 000023
【数２２】
2014512566.tif 000024
【００９１】
ＶＲＭＩＮが（ＶＡＭＡＸ−ＶＲＭＡＸ）／４よりも大きい場合、式（１６）はＰ３の右側のラインＥ１６ａによって示すことができ、不等式は解集合に影響しない。したがって、解集合はＰ１、Ｐ２、およびＰ３によって画定された三角形である。しかしながら、ＶＲＭＩＮが（ＶＡＭＡＸ−ＶＲＭＡＸ）／４よりも小さいが、（ＶＡＭＩＮ＋ＶＲＭＩＮ）／２よりも大きい場合、式（１６）はＰ２とＰ３の間のラインＥ１６ｂによって示すことができ、不等式は解集合を縮小する。この場合、解集合はＰ１、Ｐ２、Ｐ４ｂ、およびＰ５ｂによって画定された四角形である。Ｐ４ｂおよびＰ５ｂは、下記の式（２３）および式（２４）によって決定される。
【数２３】
2014512566.tif 000025
【数２４】
2014512566.tif 000026
【００９２】
ＶＲＭＩＮが（ＶＡＭＩＮ＋ＶＲＭＩＮ）／２よりも小さいが、（ＶＡＭＡＸ−ＶＲＭＩＮ）／２よりも大きい場合、式（１６）はＰ１とＰ２の間のラインＥ１６ｃによって示すことができ、不等式は解集合を縮小する。この場合、解集合はＰ１、Ｐ４ｃ、およびＰ５ｃによって画定された三角形である。Ｐ４ｃおよびＰ５ｃは、下記の式（２５）および式（２６）によって決定される。
【数２５】
2014512566.tif 000027
【数２６】
2014512566.tif 000028
【００９３】
ＶＲＭＩＮが（ＶＡＭＡＸ−ＶＲＭＩＮ）／２よりも小さい場合、解集合は存在しない。通常、ＶＲＭＩＮは（ＶＡＭＡＸ−ＶＲＭＡＸ）／４よりも大きく、式（１６）は解集合に影響しない。したがって、駆動方式電圧を決定することは、下記で行われるように、ＶＲMINが（ＶＡＭＡＸ−ＶＲＭＡＸ）／４よりも大きいと仮定し、式（１６）を無視することによって、さらに簡略化され得る。
【００９４】
いくつかの実施態様では、ＶＳおよびＶＣＨＯＬＤは、解空間の中間またはその近くにある点に対応するそれらの電圧として決定され得る。いくつかの実施態様では、選択されたＶＳは、解空間内の最大ＶＳと解空間内の最小ＶＳとの間の中間ＶＳとして決定され得る。ＶＣＨＯＬＤは、このＶＳでの最大ＶＣＨＯＬＤとこのＶＳでの最小ＶＣＨＯＬＤとの間の中間ＶＣＨＯＬＤによって決定され得る。したがって、いくつかの実施態様では、ＶＳは下記の式（２７）に従ってＶＳ０として決定される。ＶＣＨＯＬＤはこの結果に基づいて決定され得る。したがって、いくつかの実施態様では、ＶＣＨＯＬＤは下記の式（２８）に従ってＶＣＨＯＬＤ＿０として決定される。
【数２７】
2014512566.tif 000029
【数２８】
2014512566.tif 000030
【００９５】
上述された駆動方式電圧の決定は、単一のＶＳおよびＶＣＨＯＬＤがアレイ全体のすべてのディスプレイ要素に使用されるべきときに、使用され得る。しかしながら、いくつかのディスプレイアレイの場合、複数のＶＣＨＯＬＤ電圧がアレイの様々な部分について導出され得る。これはカラーディスプレイに有用であり得るし、ＥＭＳディスプレイは、カラーディスプレイを生成する反射状態にあるときの異なる色を優先的に反射するように構成されたディスプレイ要素を有する。これらの実施態様では、カラー再生能力を有する様々な色のディスプレイ要素のグループからピクセルを形成するために、いくつかのディスプレイ要素は赤色を反射することができ、いくつかは青色を反射することができ、いくつかは緑色またはこれらの色の任意の組合せを反射することができる。当業者は、赤色、緑色、および青色が実施され得る原色の組合せの一選択にすぎないことを諒解されよう。原色の他の組合せを他の実施態様で使用することができる。様々な色のディスプレイ要素は、様々なギャップサイズなどの様々な物理的特性を有することができる。したがって、様々な色のディスプレイ要素用のヒステリシス曲線において比較的幅広い変形形態があり、同じ色のディスプレイ要素の間にヒステリシス曲線のより強い均一性がある。いくつかの実施態様では、特定のコモンライン内の各ディスプレイ要素は、同じ色に関連付けられる。通常、コモンラインは、ディスプレイアレイの下で、赤色の行、緑色の行、青色の行、赤色の行、緑色の行、青色の行、などのように色を交互にする。これらの実施態様では、コモンラインのドライバ回路は、様々な色のコモンラインに様々なＶＣＨＯＬＤ電圧を印加するように構成され得る。
【００９６】
したがって、列ドライバ回路により各列に印加されたセグメント電圧はすべての色のディスプレイ要素に印加されるが、行ドライバ回路により各行に印加されたコモン電圧は単一の色のディスプレイ要素にのみ印加される。これらの実施態様では、駆動方式は、すべての色に印加された単一のセグメント電圧ＶＳと、それぞれ赤色のディスプレイ要素、緑色のディスプレイ要素、および青色のディスプレイ要素用のＶＣＨＯＬＤ＿Ｒ、ＶＣＨＯＬＤ＿Ｇ、およびＶＣＨＯＬＤ＿Ｂを含む、色ごとに異なる保持電圧とを含むことができる。
【００９７】
したがって、いくつかの実施態様では、マルチカラーディスプレイを調整する方法は、いくつかの色の各々について個別に、上述された１つまたは複数のアレイ電圧を決定することと、色ごとに決定されたアレイ電圧に基づいて１つまたは複数の駆動方式電圧を決定することとを含む。決定されたアレイ電圧は、たとえば、アレイ内の様々な色のディスプレイ要素の組ごとにＶＡＭＡＸ、ＶＡＭＩＮ、ＶＲＭＡＸ、およびＶＲＭＩＮ用の値を決定することを含むことができる。様々な色に関連付けられた様々なアレイ電圧は、下付き文字にＲ、Ｇ、またはＢを付加することによって表記される。たとえば、ＶＡＭＡＸ＿Ｒは、実質的にすべての赤色のディスプレイ要素が開放状態から作動状態に変化する最も低い電圧であり得る。別の例として、ＶＲＭＡＸ＿Ｇは、少なくとも１つの緑色のディスプレイ要素が作動状態から開放状態に変化する最も高い電圧であり得る。
【００９８】
図１１は、マルチカラー用の駆動方式電圧を選択する際に使用され得る不等式を示すグラフの一例を示す。図１１に示されたように、アレイの赤色だけのディスプレイ要素に関連するアレイ値に適用された式（１７）〜式（１９）は、ラインＥ１７ｒ、Ｅ１８ｒ、およびＥ１９ｒによって示される。同様に、アレイの緑色だけのディスプレイ要素に関連するアレイ値に適用された式（１７）〜式（１９）は、ラインＥ１７ｇ、Ｅ１８ｇ、およびＥ１９ｇによって示され、アレイの青色だけのディスプレイ要素に関連するアレイ値に適用された式（１７）〜式（１９）は、ラインＥ１７ｂ、Ｅ１８ｂ、およびＥ１９ｂによって示される。３組の不等式は３つの解空間を画定する。
【００９９】
これらの解空間に基づいて、アレイ全体用のセグメント電圧ＶＳ、および色ごとの保持電圧ＶＣＨＯＬＤ＿Ｒ、ＶＣＨＯＬＤ＿Ｇ、およびＶＣＨＯＬＤ＿Ｂが決定され得る。いくつかの実施態様では、セグメント電圧は、各解空間が選択されたセグメント電圧を重ねるように、最初に選択される。いくつかの実施態様では、色ごとのセグメント電圧、すなわちＶＳR、ＶＳG、およびＶＳBは、上記の式（２７）に個別に色ごとのＶＡＭＡＸ、ＶＲＭＡＸ、およびＶＡＭＩＮ用の測定値を代入することによって決定される。グローバルＶＳは、これらの色固有のセグメント電圧に基づいて決定され得る。いくつかの実施態様では、アレイ全体用のＶＳ０は、各々が上記のように決定されたＶＳＲ、ＶＳＧ、またはＶＳＢのうちの１つの選択として決定される。いくつかの実施態様では、ＶＳ０は、ＶＳＲ、ＶＳＧ、およびＶＳＢのうちの最も低い電圧として決定され得る。いくつかの他の実施態様では、ＶＳ０は、最小の領域を有する解空間に伴う色に関連付けられたセグメント電圧として決定され得る。これは図１１に示され、ここでＶＳＢはグローバルＶＳとして使用される。ＶＳＲ、ＶＳＧ、およびＶＳＢの平均はまた、アレイセグメント電圧ＶＳ０として選択され得る。
【０１００】
ＶＳ０が選択されると、ＶＣＨＯＬＤ＿Ｒ、ＶＣＨＯＬＤ＿Ｇ、およびＶＣＨＯＬＤ＿Ｂは、色ごとのＶＡＭＡＸ、ＶＲＭＡＸ、およびＶＡＭＩＮ用の値と、下記の式（２９）および式（３０）内の選択されたグローバルＶＳ０とを使用して、別々の色ごとに別個に決定され得る。
【数２９】
2014512566.tif 000031
【数３０】
2014512566.tif 000032
【０１０１】
図１２は、駆動方式電圧を選択する方法を示す流れ図の一例を示す。いくつかの実施態様では、方法１２００は、様々な色のディスプレイ要素を有するアレイなどの、２つ以上の複数のディスプレイ要素を含むアレイ用の駆動方式電圧を選択するように実行され得る。たとえば、アレイは３つの複数のディスプレイ要素を含むことができ、第１の複数のディスプレイ要素は赤色のディスプレイ要素であり、第２の複数のディスプレイ要素は緑色のディスプレイ要素であり、第３の複数のディスプレイ要素は青色のディスプレイ要素である。
【０１０２】
方法１２００は、２つ以上の複数のディスプレイ要素の各々についてアレイ電圧を決定する、ブロック１２１０で始まる。いくつかの実施態様では、特定の複数のディスプレイ要素用のアレイ電圧は、第１の電圧、すなわち複数のディスプレイ要素のすべてに印加されたとき、複数のディスプレイ要素内の少なくとも１つのディスプレイ要素を作動させる、中心電圧よりも上の最も低い電圧と、第２の電圧、すなわち複数のディスプレイ要素のすべてに印加されたとき、複数のディスプレイ要素のうちの実質的にすべてを作動させる、中心電圧よりも上の最も低い電圧と、第３の電圧、すなわち複数のディスプレイ要素のすべてに印加されたとき、複数のディスプレイ要素内の少なくとも１つのディスプレイ要素を開放させる、中心電圧よりも上の最も高い電圧と、第４の電圧、すなわち複数のディスプレイ要素のすべてに印加されたとき、複数のディスプレイ要素内の実質的にすべてのディスプレイ要素を開放させる、中心電圧よりも上の最も高い電圧とを含むことができる。
【０１０３】
いくつかの実施態様では、アレイ電圧は、他の複数のディスプレイ要素を接地しながら、複数ある複数のディスプレイ要素の各々に可変電圧を印加することによって決定される。たとえば、第１の複数のディスプレイ要素用のアレイ電圧を決定するために、第１の複数のディスプレイ要素に印加された電圧は約１ボルトであり得るが、他の複数のディスプレイ要素に印加された電圧は約ゼロボルトであり得る。次いで、第１の複数のディスプレイ要素に印加された電圧は、第１の複数のディスプレイ要素内の少なくとも１つのディスプレイ要素が作動するまで、次に増加される。これが起こる電圧が第１の電圧として記録され得る。第１の複数のディスプレイ要素に印加された電圧は、第１の複数のディスプレイ要素内の実質的にすべてのディスプレイ要素が作動するまで、さらに増加される。これが起こる電圧が第２の電圧として記録され得る。第１の複数のディスプレイ要素に印加された電圧は、第１の複数のディスプレイ要素内の少なくとも１つのディスプレイ要素が開放するまで、次に減少される。これが起こる電圧が第３の電圧として記録され得る。第１の複数のディスプレイ要素に印加された電圧は、第１の複数のディスプレイ要素内の実質的にすべてのディスプレイ要素が開放するまで、次いでさらに減少される。これが起こる電圧が第４の電圧として記録され得る。このプロセスは、残りの複数のディスプレイ要素の各々について繰り返すことができる。
【０１０４】
上述されたように、いくつかの実施態様では、高アレイ電圧と低アレイ電圧は中心電圧に関して対称である。通常、中心電圧はゼロに近い。しかしながら、いくつかの実施態様では、中心電圧は、電圧オフセットと呼ばれる量だけゼロからオフセットされる。いくつかの実施態様では、電圧オフセットはゼロであると仮定される。しかしながら、いくつかの他の実施態様では、方法１２００は電圧オフセットを決定することを含むことができる。さらに、方法１２００は、高アレイ電圧と低アレイ電圧とを個別に決定することを含むことができる。
【０１０５】
ブロック１２２０では、決定されたアレイ電圧に基づくセグメント電圧が、複数ある複数のディスプレイ要素のすべてについて選択される。いくつかの実施態様では、複数固有のセグメント電圧が複数のディスプレイ要素ごとに決定され、これらの複数固有のセグメント電圧に基づいてセグメント電圧が決定される。いくつかの実施態様では、複数固有のセグメント電圧は、上記の式（２７）を使用して決定される。いくつかの実施態様では、セグメント電圧は、複数固有のセグメント電圧のうちの１つとして選択される。いくつかの実施態様では、セグメント電圧は、複数固有のセグメント電圧のうちの最小の電圧として選択される。いくつかの実施態様では、セグメント電圧は、最小の誤差限界を有する複数のディスプレイ要素に関連付けられた複数固有のセグメント電圧、たとえば、最小の解空間を有する複数のディスプレイ要素に関連付けられた複数固有のセグメント電圧として選択される。
【０１０６】
ブロック１２３０では、保持電圧が、少なくとも部分的にセグメント電圧に基づいて、複数ある複数のディスプレイ要素の各々について選択される。いくつかの実施態様では、特定の複数のディスプレイ要素用の保持電圧は、複数ある複数のディスプレイ要素のすべてに共通のセグメント電圧と、特定の複数のディスプレイ要素について決定されたアレイ電圧とに基づく。いくつかの実施態様では、保持電圧は、上記の式（２８）を使用して決定される。
【０１０７】
ブロック１２４０では、選択されたセグメント電圧および保持電圧は、駆動方式に従ってそれらをアレイに印加することによってテストされる。ブロック１２５０では、選択された電圧が駆動方式での使用に適しているかどうかが判定される。いくつかの実施態様では、実質的にすべてのディスプレイ要素の作動および開放が予想され、不注意な作動または開放をもたらさないときに、電圧が実質的にすべてのディスプレイ要素の作動および開放に影響する場合、選択された電圧が駆動方式での使用に適していると判定され得る。これは、テストパターンをディスプレイ上に表示することによって、人間により視覚的に、または自動システムでテストされ得る。テストパターンは、誤って作動または非作動されたディスプレイ要素の出現を強調するように設計され得る。
【０１０８】
ブロック１２５０で、選択されたセグメント電圧が駆動方式での使用に適していると判定された場合、方法１２００はブロック１２７０に続き、そこで選択された電圧が動作中のアレイを駆動するために使用される。代替的に、ブロック１２５０で、選択された電圧が駆動方式での使用に適していないと判定された場合、方法１２００はブロック１２６０に続き、そこで選択された電圧のうちの少なくとも１つが修正される。いくつかの実施態様では、選択された電圧は、約１００ｍＶもしくは２００ｍＶ、または作動されたディスプレイ要素の数に顕著な変化をもたらす最小の電圧変化に近い任意の適切な値だけ、選択された電圧のうちの１つまたは複数を増加または減少することによって修正され得る。方法１２００は、次いで、駆動方式での使用に適した電圧が選択されるまで、ブロック１２４０、１２５０、および１２６０を繰り返す。
【０１０９】
図１３は、アレイを駆動する方法を示す流れ図の一例を示す。いくつかの実施態様では、方法１３００は、第１の色の第１の複数のディスプレイ要素と、第２の色の第２の複数のディスプレイ要素と、第３の色の第３の複数のディスプレイ要素とを含むアレイを駆動するように実行され得る。上述されたように、いくつかの実施態様では、高アレイ電圧と低アレイ電圧は中心電圧に関して対称である。通常、中心電圧はゼロに近い。しかしながら、いくつかの実施態様では、中心電圧は、電圧オフセットと呼ばれる量だけゼロからオフセットされる。いくつかの実施態様では、電圧オフセットはゼロであると仮定される。下記に記載されたテスト手順は、負のヒステリシスウィンドウまたは正のヒステリシスウィンドウのいずれかを参照して実行され得る。したがって、本明細書で使用される「最も低い電圧」または「最も高い電圧」という用語は、テスト中のヒステリシスウィンドウの極性に適した極性である、中心電圧に関する電圧の極性を有する、最小絶対値電圧および最大絶対値電圧を指す。
【０１１０】
方法１３００は、ブロック１３１０で、第１の複数のディスプレイ要素、第２の複数のディスプレイ要素、および第３の複数のディスプレイ要素の各々について、第１の電圧、すなわち複数のディスプレイ要素のうちのそれぞれの複数のディスプレイ要素に印加されたとき、それぞれの複数のディスプレイ要素内の少なくとも１つのディスプレイ要素を作動させる最も低い電圧の決定で始まる。
【０１１１】
方法１３００は、ブロック１３２０で、第１の複数のディスプレイ要素、第２の複数のディスプレイ要素、および第３の複数のディスプレイ要素の各々について、第２の電圧、すなわち複数のディスプレイ要素のうちの各々に印加されたとき、それぞれの複数のディスプレイ要素内の実質的にすべてのディスプレイ要素を作動させる最も低い電圧の決定に続く。方法１３００は、ブロック１３３０で、第１の複数のディスプレイ要素、第２の複数のディスプレイ要素、および第３の複数のディスプレイ要素の各々について、第３の電圧、すなわちそれぞれの複数のディスプレイ要素のうちの各ディスプレイ要素に印加されたとき、少なくとも１つのディスプレイ要素を開放させる最も高い電圧の決定に続く。
【０１１２】
いくつかの実施態様では、第１、第２、および第３の電圧は、他の複数のディスプレイ要素を接地しながら、複数ある複数のディスプレイ要素のうちのそれぞれの複数のディスプレイ要素の各々に可変電圧を印加することによって決定される。たとえば、第１の複数のディスプレイ要素について第１、第２、および第３の電圧を決定するために、第１の複数のディスプレイ要素に印加された電圧は約１ボルトであるが、第２および第３の複数のディスプレイ要素に印加された電圧は約ゼロボルトである。次いで、第１の複数のディスプレイ要素に印加された電圧は、第１の複数のディスプレイ要素内の少なくとも１つのディスプレイ要素が作動するまで増加される。これが起こる電圧が第１の電圧として記録され得る。第１の複数のディスプレイ要素に印加された電圧は、第１の複数のディスプレイ要素内の実質的にすべてのディスプレイ要素が作動するまで、さらに増加される。これが起こる電圧が第２の電圧として記録され得る。第１の複数のディスプレイ要素に印加された電圧は、第１の複数のディスプレイ要素内の少なくとも１つのディスプレイ要素が開放するまで、次いで減少される。これが起こる電圧が第３の電圧として記録され得る。このプロセスは、第２および第３の複数のディスプレイ要素について繰り返すことができる。
【０１１３】
いくつかの実施態様では、方法１３００は、第４の電圧、すなわち複数ある複数のディスプレイ要素のすべてに印加されたとき、複数ある複数のディスプレイ要素の実質的にすべてを開放させる最も高い正電圧を決定することを、さらに含むことができる。上記で決定された第１、第２、および第３の電圧、ならびに場合によっては第４の電圧は、一括してアレイ電圧と呼ぶことができる。
【０１１４】
ブロック１３４０では、決定されたアレイ電圧に基づくセグメント電圧が、第１の複数のディスプレイ要素、第２の複数のディスプレイ要素、および第３の複数のディスプレイ要素のうちのすべてについて選択される。いくつかの実施態様では、複数固有のセグメント電圧が複数のディスプレイ要素ごとに決定され、これらの複数固有のセグメント電圧に基づいてセグメント電圧が決定される。いくつかの実施態様では、複数固有のセグメント電圧は、上記の式（２７）を使用して決定される。いくつかの実施態様では、セグメント電圧は、複数固有のセグメント電圧のうちの１つとして選択される。いくつかの実施態様では、セグメント電圧は、複数固有のセグメント電圧のうちの最小の電圧として選択される。いくつかの実施態様では、アレイ全体のセグメント電圧は、最小の誤差限界を有する複数のディスプレイ要素に関連付けられた複数固有のセグメント電圧、たとえば、最小の解空間を有する複数のディスプレイ要素に関連付けられた複数固有のセグメント電圧として選択される。
【０１１５】
ブロック１３５０では、少なくとも部分的にセグメント電圧に基づいて、第１の複数のディスプレイ要素、第２の複数のディスプレイ要素、および第３の複数のディスプレイ要素について、それぞれ第１、第２、および第３の保持電圧が選択される。いくつかの実施態様では、特定の複数のディスプレイ要素用の保持電圧は、セグメント電圧と、特定の複数のディスプレイ要素について決定されたアレイ電圧とに基づく。いくつかの実施態様では、保持電圧は、上記の式（２８）を使用して決定される。
【０１１６】
ブロック１３６０では、選択されたセグメント電圧および保持電圧は、駆動方式に従ってそれらをアレイに印加することによってテストされる。ブロック１３７０では、選択された電圧が駆動方式での使用に適しているかどうかが判定される。いくつかの実施態様では、実質的にすべてのディスプレイ要素の作動および開放が予想され、不注意な作動または開放をもたらさないときに、電圧が実質的にすべてのディスプレイ要素の作動および開放に影響する場合、選択された電圧が駆動方式での使用に適していると判定され得る。
【０１１７】
ブロック１３７０で、選択された電圧が駆動方式での使用に適していると判定された場合、方法１３００はブロック１３９０に続き、そこで選択された電圧が動作中のアレイを駆動するために使用される。代替的に、ブロック１３７０で、選択された電圧が駆動方式での使用に適していないと判定された場合、方法１３００はブロック１３８０に続き、そこで選択された電圧のうちの少なくとも１つが修正される。いくつかの実施態様では、選択された電圧は、約１００ｍＶまたは２００ｍＶなどの、完全な作動および開放の電圧範囲に関して少しの増分だけ、選択された電圧を増加または減少することによって修正され得る。方法１３００は、次いで、駆動方式での使用に適した電圧が選択されるまで、ブロック１３６０、１３７０、および１３８０を繰り返す。
【０１１８】
上述された方法は、ディスプレイを制御して、ディスプレイ要素に試験電圧を印加し試験電圧に対するディスプレイ要素の作動応答を検出するように構成された処理回路を有する、完全または部分的に自動化された試験装置で実行され得る。そのような実施態様では、可変電圧がアレイの特定の色に関連付けられたコモンラインに印加されるので、アレイ用のセグメント電極は、装置により約ゼロボルトで保持され得る。ディスプレイ要素の作動開始およびディスプレイ要素の作動完了は、（手動、または自動で光学センサーを使用する機械視覚により）視覚的に、または（自己較正としても知られている）ラインキャパシタンス測定によって検出され得る。印加電圧を変更し、応答を検出することによって、その色についてのＶＡＭＡＸ、ＶＲＭＡＸ、およびＶＡＭＩＮが決定され得る。これをすべての色について繰り返すことができ、テスト中のアレイについて、上述されたセクメント電圧と保持電圧とを含む一組の駆動電圧を導出するために、式（２７）および（２８）を上述されたように使用することができる。
【０１１９】
図１４は、そのような試験装置を示すシステムブロック図の一例を示す。試験装置は、テスト中のデバイスとも呼ばれるアレイ１４０１に結合される。アレイは、たとえば、図２のアレイ３０に関して上述された分岐干渉変調器のアレイであり得る。アレイ１４０１は、行ドライバ回路１４２４と列ドライバ回路１４２６とを含むアレイドライバ１４２２で駆動される。アレイドライバ１４２２は、図２のアレイドライバ２２に関して上述された原理に従って動作することができる。アレイドライバ１４２４はプロセッサ１４１０と通信している。プロセッサは、少なくとも図２のプロセッサ２１に関して上述された原理に従って動作することができる。たとえば、プロセッサ１４１０は、アレイ１４０１に印加されるべき電圧に関して、アレイドライバ１４２２に情報を提供することができる。プロセッサ１４１０は、図１２および図１３の方法１２００および方法１３００の少なくとも一部を実行するように、さらに動作することができる。たとえば、プロセッサ１４１０は、光学センサー１４３０と通信して、アレイ１４０１の１つもしくは少しだけのディスプレイ要素がいつ状態を変更したか、またはアレイ１４０１のすべてもしくは実質的にすべてのディスプレイ要素がいつ状態を変更したかを判定することができる。光学センサー１４３０は、たとえば、カメラ、視覚システム、カメラ、センサー、レンズ、レーザ振動計システムなどを含むことができる。プロセッサ１４０１はまた、光学センサー１４３０を使用しないが、この目的のために特別に構成されたドライバを使用するキャパシタンス検知方法を使用してディスプレイ要素の作動を検出することによって、アレイ１４０１の１つもしくは少しだけのディスプレイ要素がいつ状態を変更したか、またはアレイ１４０１のすべてもしくは実質的にすべてのディスプレイ要素がいつ状態を変更したかを判定するように構成され得る。この実施態様で、ドライバ回路は、様々な印加電圧下で、作動状態と非作動状態の間のディスプレイ要素のキャパシタンス変化を検出する電荷センサーまたは電圧センサーを内蔵する。
【０１２０】
図１５Ａおよび図１５Ｂは、複数の干渉変調器を含むディスプレイデバイス４０を示すシステムブロック図の例を示している。ディスプレイデバイス４０は、たとえば、セルラー電話または携帯電話であり得る。ただし、ディスプレイデバイス４０の同じ構成要素またはディスプレイデバイス４０の軽微な変形も、テレビジョン、電子リーダーおよびポータブルメディアプレーヤなど、様々なタイプのディスプレイデバイスを示す。
【０１２１】
ディスプレイデバイス４０は、ハウジング４１と、ディスプレイ３０と、アンテナ４３と、スピーカー４５と、入力デバイス４８と、マイクロフォン４６とを含む。ハウジング４１は、射出成形および真空成形を含む様々な製造プロセスのうちのいずれかから形成され得る。さらに、ハウジング４１は、限定はしないが、プラスチック、金属、ガラス、ゴム、およびセラミック、またはそれらの組合せを含む、様々な材料のうちのいずれかから製作され得る。ハウジング４１は、異なる色の、または異なるロゴ、ピクチャ、もしくはシンボルを含んでいる、他の取外し可能な部分と交換され得る、取外し可能な部分（図示せず）を含むことができる。
【０１２２】
ディスプレイ３０は、本明細書で説明する、双安定またはアナログディスプレイを含む様々なディスプレイのうちのいずれかであり得る。ディスプレイ３０はまた、プラズマ、ＥＬ、ＯＬＥＤ、ＳＴＮ  ＬＣＤ、またはＴＦＴ  ＬＣＤなど、フラットパネルディスプレイ、あるいはＣＲＴまたは他の管デバイスなど、非フラットパネルディスプレイを含むように構成され得る。さらに、ディスプレイ３０は、本明細書で説明する干渉変調器ディスプレイを含むことができる。
【０１２３】
ディスプレイデバイス４０の構成要素は図１５Ｂに概略的に示されている。ディスプレイデバイス４０は、ハウジング４１を含み、それの中に少なくとも部分的に密閉された追加の構成要素を含むことができる。たとえば、ディスプレイデバイス４０は、トランシーバ４７に結合されたアンテナ４３を含むネットワークインターフェース２７を含む。トランシーバ４７はプロセッサ２１に接続され、プロセッサ２１は調整ハードウェア５２に接続される。調整ハードウェア５２は、信号を調整する（たとえば、信号をフィルタ処理する）ように構成され得る。調整ハードウェア５２は、スピーカー４５およびマイクロフォン４６に接続される。プロセッサ２１は、入力デバイス４８およびドライバコントローラ２９にも接続される。ドライバコントローラ２９は、フレームバッファ２８に、およびアレイドライバ２２に結合され、アレイドライバ２２は次にディスプレイアレイ３０に結合される。電源５０が、特定のディスプレイデバイス４０設計によって必要とされるすべての構成要素に電力を与えることができる。
【０１２４】
ネットワークインターフェース２７は、ディスプレイデバイス４０がネットワークを介して１つまたは複数のデバイスと通信することができるように、アンテナ４３とトランシーバ４７とを含む。ネットワークインターフェース２７はまた、たとえば、プロセッサ２１のデータ処理要件を軽減するための、何らかの処理能力を有し得る。アンテナ４３は信号を送信および受信することができる。いくつかの実施態様では、アンテナ４３は、ＩＥＥＥ１６．１１（ａ）、（ｂ）、または（ｇ）を含むＩＥＥＥ１６．１１規格、あるいはＩＥＥＥ８０２．１１ａ、ｂ、ｇまたはｎを含むＩＥＥＥ８０２．１１規格に従って、ＲＦ信号を送信および受信する。いくつかの他の実施態様では、アンテナ４３は、ＢＬＵＥＴＯＯＴＨ（登録商標）規格に従ってＲＦ信号を送信および受信する。セルラー電話の場合、アンテナ４３は、３Ｇまたは４Ｇ技術を利用するシステムなどのワイヤレスネットワーク内で通信するために使用される、符号分割多元接続（ＣＤＭＡ）、周波数分割多元接続（ＦＤＭＡ）、時分割多元接続（ＴＤＭＡ）、モバイル通信のためのグローバルシステム（ＧＳＭ（登録商標）：Ｇｌｏｂａｌ  Ｓｙｓｔｅｍ  ｆｏｒ  Ｍｏｂｉｌｅ  ｃｏｍｍｕｎｉｃａｔｉｏｎｓ）、ＧＳＭ／ジェネラル・パケット。ラジオ・サービス（ＧＰＲＳ：ＧＳＭ／Ｇｅｎｅｒａｌ  Ｐａｃｋｅｔ  Ｒａｄｉｏ  Ｓｅｒｖｉｃｅ）、強化されたデータのＧＳＭ環境（ＥＤＧＥ：Ｅｎｈａｎｃｅｄ  Ｄａｔａ  ＧＳＭ  Ｅｎｖｉｒｏｎｍｅｎｔ）、テレスティアル・トランクド・ラジオ（ＴＥＴＲＡ：Ｔｅｒｒｅｓｔｒｉａｌ  Ｔｒｕｎｋｅｄ  Ｒａｄｉｏ）、広帯域ＣＤＭＡ（Ｗ−ＣＤＭＡ（登録商標））、エボリューション・データ・オプティマイズド（ＥＶ−ＤＯ：Ｅｖｏｌｕｔｉｏｎ  Ｄａｔａ  Ｏｐｔｉｍｉｚｅｄ）、１ｘＥＶ−ＤＯ、ＥＶ−ＤＯ  Ｒｅｖ  Ａ、ＥＶ−ＤＯ  Ｒｅｖ  Ｂ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋）、ロング・ターム・エボリューション（ＬＴＥ：Ｌｏｎｇ  Ｔｅｒｍ  Ｅｖｏｌｕｔｉｏｎ）、ＡＭＰＳ、または他の知られている信号を受信するように設計される。トランシーバ４７は、アンテナ４３から受信された信号がプロセッサ２１によって受信され、プロセッサ２１によってさらに操作され得るように、その信号を前処理することができる。トランシーバ４７はまた、プロセッサ２１から受信された信号がアンテナ４３を介してディスプレイデバイス４０から送信され得るように、その信号を処理することができる。
【０１２５】
いくつかの実施態様では、トランシーバ４７は受信機によって置き換えられ得る。さらに、ネットワークインターフェース２７は、プロセッサ２１に送られるべき画像データを記憶または生成することができる画像ソースによって置き換えられ得る。プロセッサ２１は、ディスプレイデバイス４０の全体的な動作を制御することができる。プロセッサ２１は、ネットワークインターフェース２７または画像ソースから圧縮された画像データなどのデータを受信し、そのデータを生画像データに、または生画像データに容易に処理されるフォーマットに、処理する。プロセッサ２１は、処理されたデータをドライバコントローラ２９に、または記憶のためにフレームバッファ２８に送ることができる。生データは、一般に、画像内の各ロケーションにおける画像特性を識別する情報を指す。たとえば、そのような画像特性は、色、飽和、およびグレースケールレベルを含むことができる。
【０１２６】
プロセッサ２１は、ディスプレイデバイス４０の動作を制御するためのマイクロコントローラ、ＣＰＵ、または論理ユニットを含むことができる。調整ハードウェア５２は、スピーカー４５に信号を送信するための、およびマイクロフォン４６から信号を受信するための、増幅器およびフィルタを含み得る。調整ハードウェア５２は、ディスプレイデバイス４０内の個別構成要素であり得、あるいはプロセッサ２１または他の構成要素内に組み込まれ得る。
【０１２７】
ドライバコントローラ２９は、プロセッサ２１によって生成された生画像データをプロセッサ２１から直接、またはフレームバッファ２８から取ることができ、アレイドライバ２２への高速送信のために適宜に生画像データを再フォーマットすることができる。いくつかの実施態様では、ドライバコントローラ２９は、生画像データを、ラスタ様フォーマットを有するデータフローに再フォーマットすることができ、その結果、そのデータフローは、ディスプレイアレイ３０にわたって走査するのに好適な時間順序を有する。次いで、ドライバコントローラ２９は、フォーマットされた情報をアレイドライバ２２に送る。ＬＣＤコントローラなどのドライバコントローラ２９は、しばしば、スタンドアロン集積回路（ＩＣ）としてシステムプロセッサ２１に関連付けられるが、そのようなコントローラは多くの方法で実施され得る。たとえば、コントローラは、ハードウェアとしてプロセッサ２１中に埋め込まれるか、ソフトウェアとしてプロセッサ２１中に埋め込まれるか、またはハードウェアにおいてアレイドライバ２２と完全に一体化され得る。
【０１２８】
アレイドライバ２２は、ドライバコントローラ２９からフォーマットされた情報を受信することができ、ビデオデータを波形の並列セットに再フォーマットすることができ、波形の並列セットは、ディスプレイのディスプレイ要素のｘ−ｙ行列から来る、数百の、および時には数千の（またはより多くの）リード線に毎秒何回も適用される。
【０１２９】
いくつかの実施態様では、ドライバコントローラ２９、アレイドライバ２２、およびディスプレイアレイ３０は、本明細書で説明するディスプレイのタイプのうちのいずれにも適している。たとえば、ドライバコントローラ２９は、従来のディスプレイコントローラまたは双安定ディスプレイコントローラ（たとえば、ＩＭＯＤコントローラ）であり得る。さらに、アレイドライバ２２は、従来のドライバまたは双安定ディスプレイドライバ（たとえば、ＩＭＯＤディスプレイドライバ）であり得る。その上、ディスプレイアレイ３０は、従来のディスプレイアレイまたは双安定ディスプレイアレイ（たとえば、ＩＭＯＤのアレイを含むディスプレイ）であり得る。いくつかの実施態様では、ドライバコントローラ２９はアレイドライバ２２と一体化され得る。そのような実施態様は、セルラーフォン、ウォッチおよび他の小面積ディスプレイなどの高集積システムでは一般的である。
【０１３０】
いくつかの実施態様では、入力デバイス４８は、たとえば、ユーザがディスプレイデバイス４０の動作を制御することを可能にするように、構成され得る。入力デバイス４８は、ＱＷＥＲＴＹキーボードまたは電話キーパッドなどのキーパッド、ボタン、スイッチ、ロッカー、タッチセンシティブスクリーン、あるいは感圧膜または感熱膜を含むことができる。マイクロフォン４６は、ディスプレイデバイス４０のための入力デバイスとして構成され得る。いくつかの実施態様では、ディスプレイデバイス４０の動作を制御するために、マイクロフォン４６を介したボイスコマンドが使用され得る。
【０１３１】
電源５０は、当技術分野でよく知られている様々なエネルギー蓄積デバイスを含むことができる。たとえば、電源５０は、ニッケルカドミウムバッテリーまたはリチウムイオンバッテリーなどの充電式バッテリーであり得る。電源５０はまた、再生可能エネルギー源、キャパシタ、あるいはプラスチック太陽電池または太陽電池塗料を含む太陽電池であり得る。電源５０はまた、壁コンセントから電力を受け取るように構成され得る。
【０１３２】
いくつかの実施態様では、制御プログラマビリティがドライバコントローラ２９中に存在し、これは電子ディスプレイシステム中のいくつかの場所に配置され得る。いくつかの他の実施態様では、制御プログラマビリティがアレイドライバ２２中に存在する。上記で説明した最適化は、任意の数のハードウェアおよび／またはソフトウェア構成要素において、ならびに様々な構成において実施され得る。
【０１３３】
本明細書で開示する実施態様に関して説明した様々な例示的な論理、論理ブロック、モジュール、回路、およびアルゴリズムステップは、電子ハードウェア、コンピュータソフトウェア、または両方の組合せとして実施され得る。ハードウェアとソフトウェアの互換性が、概して機能に関して説明され、上記で説明した様々な例示的な構成要素、ブロック、モジュール、回路およびステップにおいて示された。そのような機能がハードウェアで実施されるか、ソフトウェアで実施されるかは、特定の適用例および全体的なシステムに課された設計制約に依存する。
【０１３４】
本明細書で開示する態様に関して説明した様々な例示的な論理、論理ブロック、モジュール、および回路を実施するために使用される、ハードウェアおよびデータ処理装置は、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサは、マイクロプロセッサ、あるいは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。いくつかの実施態様では、特定のステップおよび方法が、所与の機能に固有である回路によって実行され得る。
【０１３５】
１つまたは複数の態様では、説明した機能は、本明細書で開示する構造を含むハードウェア、デジタル電子回路、コンピュータソフトウェア、ファームウェア、およびそれらの上記構造の構造的等価物において、またはそれらの任意の組合せにおいて実施され得る。また、本明細書で説明した主題の実施態様は、１つまたは複数のコンピュータプログラムとして、すなわち、データ処理装置が実行するためにコンピュータ記憶媒体上に符号化された、またはデータ処理装置の動作を制御するための、コンピュータプログラム命令の１つまたは複数のモジュールとして、実施され得る。
【０１３６】
ソフトウェアにおいて実施された場合、機能は、１つまたは複数の命令またはコードとして、コンピュータ可読媒体上に記憶するか、またはコンピュータ可読媒体を介して送信することができる。本明細書に開示された方法またはアルゴリズムのステップは、コンピュータ可読媒体上に存在できるプロセッサ実行可能ソフトウェアモジュールにおいて実施され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体には、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態で所望のプログラムコードを記憶するために使用され、コンピュータによってアクセスされ得る、任意の他の媒体が含まれ得る。また、いかなる接続もコンピュータ可読媒体と適切に呼ぶことができる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。さらに、方法またはアルゴリズムの動作は、コンピュータプログラム製品に組み込むことができる、機械可読媒体およびコンピュータ可読媒体上のコードおよび命令の１つまたは任意の組合せまたはセットとして存在することができる。
【０１３７】
本開示で説明した実施態様への様々な修正は当業者には容易に明らかであり得、本明細書で定義した一般原理は、本開示の趣旨または範囲から逸脱することなく他の実施態様に適用され得る。したがって、特許請求の範囲は、本明細書で示した実施態様に限定されるものではなく、本開示と、本明細書で開示する原理および新規の特徴とに一致する、最も広い範囲を与られるべきである。さらに、「上側」および「下側」という用語は、図の説明を簡単にするために時々使用され、適切に配向されたページ上の図の配向に対応する相対位置を示すが、実施されたＩＭＯＤの適切な配向を反映しないことがあることを、当業者は容易に諒解されよう。
【０１３８】
また、別個の実施態様に関して本明細書で説明されたいくつかの特徴は、単一の実施態様において組合せで実施され得る。また、逆に、単一の実施態様に関して説明した様々な特徴は、複数の実施態様において別個に、あるいは任意の好適な部分組合せで実施され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１３９】
同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。さらに、図面は、流れ図の形態でもう１つの例示的なプロセスを概略的に示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
【図１】
2014512566.tif 000033
【図２】
2014512566.tif 000034
【図３】
2014512566.tif 000035
【図４】
2014512566.tif 000036
【図５Ａ】
2014512566.tif 000037
【図５Ｂ】
2014512566.tif 000038
【図６Ａ】
2014512566.tif 000039
【図６Ｂ】
2014512566.tif 000040
【図６Ｃ】
2014512566.tif 000041
【図６Ｄ】
2014512566.tif 000042
【図６Ｅ】
2014512566.tif 000043
【図７】
2014512566.tif 000044
【図８Ａ】
2014512566.tif 000045
【図８Ｂ】
2014512566.tif 000046
【図８Ｃ】
2014512566.tif 000047
【図８Ｄ】
2014512566.tif 000048
【図８Ｅ】
2014512566.tif 000049
【図９】
2014512566.tif 000050
【図１０】
2014512566.tif 000051
【図１１】
2014512566.tif 000052
【図１２】
2014512566.tif 000053
【図１３】
2014512566.tif 000054
【図１４】
2014512566.tif 000055
【図１５Ａ】
2014512566.tif 000056
【図１５Ｂ】
2014512566.tif 000057
【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
ディスプレイを較正する方法であって、前記ディスプレイは、第１の反射層、第２の反射層、および前記第１と第２の反射層の間のギャップを含み、電位差が前記第１と第２の反射層の間に印加される時に緩和状態から動作状態に変化するように構成され、前記方法は、
第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、前記第１および第２の反射層の間の第１の電位差という結果となり、前記それぞれの複数のディスプレイ要素のうちの少なくとも１つのディスプレイ要素を作動させる最も低い電圧を決定することと、
前記第１の複数のディスプレイ要素、前記第２の複数のディスプレイ要素、および前記第３の複数のディスプレイ要素の各々について、第２の電圧、すなわち前記それぞれの複数のディスプレイ要素の各々に印加されたとき、前記第１および第２の反射層の間の第２の電位差という結果となり、前記それぞれの複数のディスプレイ要素内の実質的にすべての前記ディスプレイ要素を作動させる最も低い電圧を決定することと、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、前記第１および第２の反射層の間の第３の電位差という結果となり、前記それぞれの複数のディスプレイ要素のうちの少なくとも１つのディスプレイ要素を開放させる最も高い電圧を決定することと、
前記決定された第１、第２、および第３の電圧に基づいて、前記第１の反射層によって形成された行電極のセットに印加されるようにセグメント電圧を選択することと、
少なくとも部分的に前記セグメント電圧に基づいて、前記第２の反射層によって形成された列電極のセットに印加されるように前記第１の複数のディスプレイ要素、前記第２の複数のディスプレイ要素、および前記第３の複数のディスプレイ要素について、それぞれ第１、第２、および第３の保持電圧を選択することと
を備える、方法。
【請求項２】
少なくとも部分的に、前記選択されたセグメント電圧、ならびに前記第１、第２、および第３の保持電圧に基づいて、１つまたは複数の駆動方式電圧を選択することをさらに備える、請求項１に記載の方法。
【請求項３】
駆動方式で使用するために、前記選択されたセグメント電圧、ならびに前記第１、第２、および第３の保持電圧のうちの少なくとも１つを修正することをさらに備える、請求項１に記載の方法。
【請求項４】
駆動方式に従って、前記選択されたセグメント電圧と、前記第１、第２、および第３の保持電圧とを前記ディスプレイに印加することと、
前記選択されたセグメント電圧、ならびに前記第１、第２、および第３の保持電圧が前記駆動方式で使用するのに適しているかどうかを判定することと
をさらに備える、請求項１に記載の方法。
【請求項５】
前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定することをさらに備える、請求項１に記載の方法。
【請求項６】
セグメント電圧を選択することが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定することと、
前記第１、第２、および第３のポテンシャルセグメント電圧のうちの１つを前記セグメント電圧として選択することと
を備える、請求項１に記載の方法。
【請求項７】
前記第１、第２、および第３のポテンシャルセグメント電圧のうちの１つを選択することが、最も低い振幅を有する前記ポテンシャルセグメント電圧を選択することを含む、請求項６に記載の方法。
【請求項８】
前記複数ある複数のディスプレイ要素の各複数のディスプレイ要素が解空間に関連付けられ、前記第１、第２、および第３のポテンシャルセグメント電圧のうちの１つを選択することが、最小の領域を有する前記解空間に関連付けられた前記複数のディスプレイ要素に関連する前記ポテンシャルセグメント電圧を選択することを含む、請求項６に記載の方法。
【請求項９】
ディスプレイを較正するシステムであって、前記ディスプレイは、第１の反射層、第２の反射層、および前記第１と第２の反射層の間のギャップを含み、電位差が前記第１と第２の反射層の間に印加される時に緩和状態から動作状態に変化するように構成され、前記システムは、
第１の色に関連付けられた前記第１の複数のディスプレイ要素、第２の色に関連付けられた前記第２の複数のディスプレイ要素、および第３の色に関連付けられた前記第３の複数のディスプレイ要素に電圧を印加するように構成されたアレイドライバと、
前記アレイドライバを制御し、
前記第１の複数のディスプレイ要素、前記第２の複数のディスプレイ要素、および前記第３の複数のディスプレイ要素の各々について、第１の電圧、すなわち前記複数のディスプレイ要素のうちのそれぞれの複数のディスプレイ要素の各ディスプレイ要素に印加されたとき、前記第１および第２の反射層の間の第１の電位差という結果となり、前記それぞれの複数のディスプレイ要素のうちの少なくとも１つのディスプレイ要素を作動させる最も低い電圧を決定し、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記第１および第２の反射層の間の第２の電位差という結果となり、前記それぞれの複数のディスプレイ要素内の実質的にすべての前記ディスプレイ要素を作動させる最も低い電圧を決定し、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、前記第１および第２の反射層の間の第３の電位差という結果となり、前記それぞれの複数のディスプレイ要素のうちの少なくとも１つのディスプレイ要素を開放させる最も高い電圧を決定し、
前記決定された第１、第２、および第３の電圧に基づいて、前記第１の反射層によって形成された行電極のセットに印加されるようにセグメント電圧を選択し、
少なくとも部分的に前記セグメント電圧に基づいて、前記第２の反射層によって形成された列電極のセットに印加されるように前記第１の複数のディスプレイ要素、前記第２の複数のディスプレイ要素、および前記第３の複数のディスプレイ要素について、それぞれ第１、第２、および第３の保持電圧を選択する
ように構成されたプロセッサと、
を備える、システム。
【請求項１０】
前記プロセッサが、少なくとも部分的に、前記選択されたセグメント電圧、ならびに前記第１、第２、および第３の保持電圧に基づいて、１つまたは複数の駆動方式電圧を選択するようにさらに構成された、請求項９に記載のシステム。
【請求項１１】
前記プロセッサが、駆動方式で使用するために、前記選択されたセグメント電圧、ならびに前記第１、第２、および第３の保持電圧のうちの少なくとも１つを修正するようにさらに構成された、請求項９に記載のシステム。
【請求項１２】
前記プロセッサが、駆動方式に従って、前記選択されたセグメント電圧と、前記第１、第２、および第３の保持電圧とを前記ディスプレイに印加し、前記選択されたセグメント電圧、ならびに前記第１、第２、および第３の保持電圧が前記駆動方式で使用するのに適しているかどうかを判定するようにさらに構成された、請求項９に記載のシステム。
【請求項１３】
前記プロセッサが、前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定するようにさらに構成された、請求項９に記載のシステム。
【請求項１４】
前記プロセッサが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定し、
前記第１、第２、および第３のポテンシャルセグメント電圧のうちの１つを前記セグメント電圧として選択する
ことによって、セグメント電圧を選択するように構成された、請求項９に記載のシステム。
【請求項１５】
前記プロセッサが、最も低い振幅を有する前記ポテンシャルセグメント電圧を選択することによって、前記第１、第２、および第３のポテンシャルセグメント電圧のうちの１つを選択するように構成された、請求項１４に記載のシステム。
【請求項１６】
前記複数ある複数のディスプレイ要素の各複数のディスプレイ要素が解空間に関連付けられ、前記プロセッサが、最小の領域を有する前記解空間に関連付けられた前記複数のディスプレイ要素に関連する前記ポテンシャルセグメント電圧を選択することによって、前記第１、第２、および第３のポテンシャルセグメント電圧のうちの１つを選択するように構成された、請求項１４に記載のシステム。
【請求項１７】
ディスプレイを較正するシステムであって、前記ディスプレイは、第１の反射層、第２の反射層、および前記第１と第２の反射層の間のギャップを含み、電位差が前記第１と第２の反射層の間に印加される時に緩和状態から動作状態に変化するように構成され、前記システムは、
第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、前記第１および第２の反射層の間の第１の電位差という結果となり、前記それぞれの複数のディスプレイ要素のうちの少なくとも１つのディスプレイ要素を作動させる最も低い電圧を決定するための手段と、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記第１および第２の反射層の間の第２の電位差という結果となり、前記それぞれの複数のディスプレイ要素内の実質的にすべての前記ディスプレイ要素を作動させる最も低い電圧を決定するための手段と、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、前記第１および第２の反射層の間の第３の電位差という結果となり、少なくとも１つの前記ディスプレイ要素を開放させる最も高い電圧を決定するための手段と、
前記決定された第１、第２、および第３の電圧に基づいて、前記第１の反射層によって形成された行電極のセットに印加されるようにセグメント電圧を選択するための手段と、
少なくとも部分的に前記セグメント電圧に基づいて、前記第２の反射層によって形成された列電極のセットに印加されるように前記第１の複数のディスプレイ要素、前記第２の複数のディスプレイ要素、および前記第３の複数のディスプレイ要素について、それぞれ第１、第２、および第３の保持電圧を選択するための手段と
を備える、システム。
【請求項１８】
少なくとも部分的に、前記選択されたセグメント電圧、ならびに前記第１、第２、および第３の保持電圧に基づいて、１つまたは複数の駆動方式電圧を選択するための手段をさらに備える、請求項１７に記載のシステム。
【請求項１９】
駆動方式で使用するために、前記選択されたセグメント電圧、ならびに前記第１、第２、および第３の保持電圧のうちの少なくとも１つを修正するための手段をさらに備える、請求項１７に記載のシステム。
【請求項２０】
駆動方式に従って、前記選択されたセグメント電圧と、前記第１、第２、および第３の保持電圧とを前記ディスプレイに印加するための手段と、
前記選択されたセグメント電圧、ならびに前記第１、第２、および第３の保持電圧が前記駆動方式で使用するのに適しているかどうかを判定するための手段と
をさらに備える、請求項１７に記載のシステム。
【請求項２１】
前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定するための手段をさらに備える、請求項１７に記載のシステム。
【請求項２２】
セグメント電圧を選択するための前記手段が、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定するための手段と、
前記第１、第２、および第３のポテンシャルセグメント電圧のうちの１つを前記セグメント電圧として選択するための手段と
を備える、請求項１７に記載のシステム。
【請求項２３】
ディスプレイを較正する方法を実行するために、その上で符号化されたコンピュータ実行可能命令を有するコンピュータ可読記憶媒体であって、前記ディスプレイは、第１の反射層、第２の反射層、および前記第１と第２の反射層の間のギャップを含み、電位差が前記第１と第２の反射層の間に印加される時に緩和状態から動作状態に変化するように構成され、前記方法が、
第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、記第１および第２の反射層の間の第１の電位差という結果となり、前記それぞれの複数のディスプレイ要素のうちの少なくとも１つのディスプレイ要素を作動させる最も低い電圧を決定することと、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記第１および第２の反射層の間の第２の電位差という結果となり、前記それぞれの複数のディスプレイ要素内の実質的にすべての前記ディスプレイ要素を作動させる最も低い電圧を決定することと、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、前記第１および第２の反射層の間の第２の電位差という結果となり、少なくとも１つの前記ディスプレイ要素を開放させる最も高い電圧を決定することと、
前記決定された第１、第２、および第３の電圧に基づいて、前記第１の反射層によって形成された行電極のセットに印加されるようにセグメント電圧を選択することと、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択することと
を備える、コンピュータ可読記憶媒体。
【請求項２４】
前記方法が、少なくとも部分的に、前記選択されたセグメント電圧、ならびに前記第１、第２、および第３の保持電圧に基づいて、１つまたは複数の駆動方式電圧を選択することをさらに備える、請求項２３に記載のコンピュータ可読記憶媒体。
【請求項２５】
前記方法が、駆動方式で使用するために、前記選択されたセグメント電圧、ならびに前記第１、第２、および第３の保持電圧のうちの少なくとも１つを修正することをさらに備える、請求項２３に記載のコンピュータ可読記憶媒体。
【請求項２６】
前記方法が、
駆動方式に従って、前記選択されたセグメント電圧と、前記第１、第２、および第３の保持電圧とを前記ディスプレイに印加することと、
前記選択されたセグメント電圧、ならびに前記第１、第２、および第３の保持電圧が前記駆動方式で使用するのに適しているかどうかを判定することと
をさらに備える、請求項２３に記載のコンピュータ可読記憶媒体。
【請求項２７】
前記方法が、前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定することをさらに備える、請求項２３に記載のコンピュータ可読記憶媒体。
【請求項２８】
セグメント電圧を選択することが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定することと、
前記第１、第２、および第３のポテンシャルセグメント電圧のうちの１つを前記セグメント電圧として選択することと
を備える、請求項２３に記載のコンピュータ可読記憶媒体。
【手続補正２】
【補正対象書類名】明細書
【補正対象項目名】０１３９
【補正方法】変更
【補正の内容】
【０１３９】
同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。さらに、図面は、流れ図の形態でもう１つの例示的なプロセスを概略的に示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
以下に本件出願当初の特許請求の範囲に記載された発明を付記する。
［１］第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、前記それぞれの複数のディスプレイ要素のうちの少なくとも１つのディスプレイ要素を作動させる最も低い電圧を決定することと、
前記第１の複数のディスプレイ要素、前記第２の複数のディスプレイ要素、および前記第３の複数のディスプレイ要素の各々について、第２の電圧、すなわち前記それぞれの複数のディスプレイ要素の各々に印加されたとき、前記それぞれの複数のディスプレイ要素内の実質的にすべての前記ディスプレイ要素を作動させる最も低い電圧を決定することと、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、前記それぞれの複数のディスプレイ要素のうちの少なくとも１つのディスプレイ要素を開放させる最も高い電圧を決定することと、
前記決定された第１、第２、および第３の電圧に基づいて、セグメント電圧を選択することと、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択することと
を備える、ディスプレイを較正する方法。
［２］少なくとも部分的に、前記選択されたセグメント電圧、ならびに前記第１、第２、および第３の保持電圧に基づいて、１つまたは複数の駆動方式電圧を選択することをさらに備える、［１］に記載の方法。
［３］駆動方式で使用するために、前記選択されたセグメント電圧、ならびに前記第１、第２、および第３の保持電圧のうちの少なくとも１つを修正することをさらに備える、［１］に記載の方法。
［４］駆動方式に従って、前記選択されたセグメント電圧と、前記第１、第２、および第３の保持電圧とを前記ディスプレイに印加することと、
前記選択されたセグメント電圧、ならびに前記第１、第２、および第３の保持電圧が前記駆動方式で使用するのに適しているかどうかを判定することと
をさらに備える、請求項１に記載の方法。
［５］前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定することをさらに備える、［１］に記載の方法。
［６］セグメント電圧を選択することが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定することと、
前記第１、第２、および第３のポテンシャルセグメント電圧のうちの１つを前記セグメント電圧として選択することと
を備える、［１］に記載の方法。
［７］前記第１、第２、および第３のポテンシャルセグメント電圧のうちの１つを選択することが、最も低い振幅を有する前記ポテンシャルセグメント電圧を選択することを含む、［６］に記載の方法。
［８］前記複数ある複数のディスプレイ要素の各複数のディスプレイ要素が解空間に関連付けられ、前記第１、第２、および第３のポテンシャルセグメント電圧のうちの１つを選択することが、最小の領域を有する前記解空間に関連付けられた前記複数のディスプレイ要素に関連する前記ポテンシャルセグメント電圧を選択することを含む、［６］に記載の方法。
［９］第１の色に関連付けられた前記第１の複数のディスプレイ要素、第２の色に関連付けられた前記第２の複数のディスプレイ要素、および第３の色に関連付けられた前記第３の複数のディスプレイ要素に電圧を印加するように構成されたアレイドライバと、
前記アレイドライバを制御し、
前記第１の複数のディスプレイ要素、前記第２の複数のディスプレイ要素、および前記第３の複数のディスプレイ要素の各々について、第１の電圧、すなわち前記複数のディスプレイ要素のうちのそれぞれの複数のディスプレイ要素の各ディスプレイ要素に印加されたとき、前記それぞれの複数のディスプレイ要素のうちの少なくとも１つのディスプレイ要素を作動させる最も低い電圧を決定し、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記それぞれの複数のディスプレイ要素内の実質的にすべての前記ディスプレイ要素を作動させる最も低い電圧を決定し、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、前記それぞれの複数のディスプレイ要素のうちの少なくとも１つのディスプレイ要素を開放させる最も高い電圧を決定し、
前記決定された第１、第２、および第３の電圧に基づいて、セグメント電圧を選択し、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択する
ように構成されたプロセッサと、
を備える、ディスプレイを較正するためのシステム。
［１０］前記プロセッサが、少なくとも部分的に、前記選択されたセグメント電圧、ならびに前記第１、第２、および第３の保持電圧に基づいて、１つまたは複数の駆動方式電圧を選択するようにさらに構成された、請求項９に記載のシステム。
［１１］前記プロセッサが、駆動方式で使用するために、前記選択されたセグメント電圧、ならびに前記第１、第２、および第３の保持電圧のうちの少なくとも１つを修正するようにさらに構成された、［９］に記載のシステム。
［１２］前記プロセッサが、駆動方式に従って、前記選択されたセグメント電圧と、前記第１、第２、および第３の保持電圧とを前記ディスプレイに印加し、前記選択されたセグメント電圧、ならびに前記第１、第２、および第３の保持電圧が前記駆動方式で使用するのに適しているかどうかを判定するようにさらに構成された、［９］に記載のシステム。
［１３］前記プロセッサが、前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定するようにさらに構成された、［９］に記載のシステム。
［１４］前記プロセッサが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定し、
前記第１、第２、および第３のポテンシャルセグメント電圧のうちの１つを前記セグメント電圧として選択する
ことによって、セグメント電圧を選択するように構成された、［９］に記載のシステム。
［１５］前記プロセッサが、最も低い振幅を有する前記ポテンシャルセグメント電圧を選択することによって、前記第１、第２、および第３のポテンシャルセグメント電圧のうちの１つを選択するように構成された、［１４］に記載のシステム。
［１６］前記複数ある複数のディスプレイ要素の各複数のディスプレイ要素が解空間に関連付けられ、前記プロセッサが、最小の領域を有する前記解空間に関連付けられた前記複数のディスプレイ要素に関連する前記ポテンシャルセグメント電圧を選択することによって、前記第１、第２、および第３のポテンシャルセグメント電圧のうちの１つを選択するように構成された、［１４］に記載のシステム。
［１７］第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、前記それぞれの複数のディスプレイ要素のうちの少なくとも１つのディスプレイ要素を作動させる最も低い電圧を決定するための手段と、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記それぞれの複数のディスプレイ要素内の実質的にすべての前記ディスプレイ要素を作動させる最も低い電圧を決定するための手段と、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、少なくとも１つの前記ディスプレイ要素を開放させる最も高い電圧を決定するための手段と、
前記決定された第１、第２、および第３の電圧に基づいて、セグメント電圧を選択するための手段と、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択するための手段と
を備える、ディスプレイを較正するためのシステム。
［１８］少なくとも部分的に、前記選択されたセグメント電圧、ならびに前記第１、第２、および第３の保持電圧に基づいて、１つまたは複数の駆動方式電圧を選択するための手段をさらに備える、［１７］に記載のシステム。
［１９］駆動方式で使用するために、前記選択されたセグメント電圧、ならびに前記第１、第２、および第３の保持電圧のうちの少なくとも１つを修正するための手段をさらに備える、［１７］に記載のシステム。
［２０］駆動方式に従って、前記選択されたセグメント電圧と、前記第１、第２、および第３の保持電圧とを前記ディスプレイに印加するための手段と、
前記選択されたセグメント電圧、ならびに前記第１、第２、および第３の保持電圧が前記駆動方式で使用するのに適しているかどうかを判定するための手段と
をさらに備える、［１７］に記載のシステム。
［２１］前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定するための手段をさらに備える、［１７］に記載のシステム。
［２２］セグメント電圧を選択するための前記手段が、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定するための手段と、
前記第１、第２、および第３のポテンシャルセグメント電圧のうちの１つを前記セグメント電圧として選択するための手段と
を備える、［１７］に記載のシステム。
［２３］ディスプレイを較正する方法を実行するために、その上で符号化されたコンピュータ実行可能命令を有するコンピュータ可読記憶媒体であって、前記方法が、
第１の色に関連付けられた第１の複数のディスプレイ要素、第２の色に関連付けられた第２の複数のディスプレイ要素、および第３の色に関連付けられた第３の複数のディスプレイ要素の各々について、第１の電圧、すなわち前記複数のディスプレイ要素のうちのそれぞれの複数のディスプレイ要素の各ディスプレイ要素に印加されたとき、前記それぞれの複数のディスプレイ要素のうちの少なくとも１つのディスプレイ要素を作動させる最も低い電圧を決定することと、
前記第１の複数のディスプレイ要素、前記第２の複数のディスプレイ要素、および前記第３の複数のディスプレイ要素の各々について、第２の電圧、すなわち前記それぞれの複数のディスプレイ要素の各ディスプレイ要素に印加されたとき、前記それぞれの複数のディスプレイ要素内の実質的にすべての前記ディスプレイ要素を作動させる最も低い電圧を決定することと、
前記第１の複数のディスプレイ要素、前記第２の複数のディスプレイ要素、および前記第３の複数のディスプレイ要素の各々について、第３の電圧、すなわち前記それぞれの複数のディスプレイ要素の各ディスプレイ要素に印加されたとき、少なくとも１つの前記ディスプレイ要素を開放させる最も高い電圧を決定することと、
前記決定された第１、第２、および第３の電圧に基づいて、セグメント電圧を選択することと、
少なくとも部分的に前記セグメント電圧に基づいて、前記第１の複数のディスプレイ要素、前記第２の複数のディスプレイ要素、および前記第３の複数のディスプレイ要素について、それぞれ第１、第２、および第３の保持電圧を選択することと
を備える、コンピュータ可読記憶媒体。
［２４］前記方法が、少なくとも部分的に、前記選択されたセグメント電圧、ならびに前記第１、第２、および第３の保持電圧に基づいて、１つまたは複数の駆動方式電圧を選択することをさらに備える、［２３］に記載のコンピュータ可読記憶媒体。
［２５］前記方法が、駆動方式で使用するために、前記選択されたセグメント電圧、ならびに前記第１、第２、および第３の保持電圧のうちの少なくとも１つを修正することをさらに備える、［２３］に記載のコンピュータ可読記憶媒体。
［２６］前記方法が、
駆動方式に従って、前記選択されたセグメント電圧と、前記第１、第２、および第３の保持電圧とを前記ディスプレイに印加することと、
前記選択されたセグメント電圧、ならびに前記第１、第２、および第３の保持電圧が前記駆動方式で使用するのに適しているかどうかを判定することと
をさらに備える、［２３］に記載のコンピュータ可読記憶媒体。
［２７］前記方法が、前記第１の複数のディスプレイ要素、前記第２の複数のディスプレイ要素、および前記第３の複数のディスプレイ要素の各々について、第４の電圧、すなわち前記複数ある複数のディスプレイ要素のうちの前記それぞれの複数のディスプレイ要素の各ディスプレイ要素に印加されたとき、前記それぞれの複数のディスプレイ要素内の実質的にすべての前記ディスプレイ要素を開放させる最も高い正電圧を決定することをさらに備える、［２３］に記載のコンピュータ可読記憶媒体。
［２８］セグメント電圧を選択することが、
前記第１の複数のディスプレイ要素、前記第２の複数のディスプレイ要素、および前記第３の複数のディスプレイ要素について前記決定された第１、第２、および第３の電圧に基づいて、それぞれ第１、第２、および第３のポテンシャルセグメント電圧を決定することと、
前記第１、第２、および第３のポテンシャルセグメント電圧のうちの１つを前記セグメント電圧として選択することと
を備える、［２３］に記載のコンピュータ可読記憶媒体。
【手続補正書】
【提出日】平成25年12月25日(2013.12.25)
【手続補正１】
【補正対象書類名】明細書
【補正対象項目名】００７８
【補正方法】変更
【補正の内容】
【００７８】
駆動方式電圧の決定は、いくつかの仮定を用いて簡略化され得る。いくつかの実施態様では、対応する高駆動方式電圧および低駆動方式電圧は、互いの加法逆元として選択され得る。たとえば、いくつかの実施態様では、ＶＳＨがＶＳとして選択されＶＳＬが−ＶＳとして選択され、ＶＣＡＤＤ＿ＨがＶＣＡＤＤとして選択されＶＣＡＤＤ＿Ｌが−ＶＣＡＤＤとして選択され、ＶＣＨＯＬＤ＿ＨがＶＣＨＯＬＤとして選択されＶＣＨＯＬＤ＿Ｌが−ＶＣＨＯＬＤとして選択される。したがって、７つの変数ではなく、駆動方式電圧はただ４つの異なる変数、すなわち、ＶＳ、ＶＣＡＤＤ、ＶＣＨＯＬＤ、およびＶＣＲＥＬによって表され得る。
【手続補正２】
【補正対象書類名】明細書
【補正対象項目名】００８１
【補正方法】変更
【補正の内容】
【００８１】
第１に、式（５）および式（６）によって暗示されたように、開放電圧ＶＣＲＥＬとセグメント電圧ＶＳの和は、アレイ内の実質的にすべての分岐干渉変調器の開放を保証するために、式（１１）に示されたようにＶＲＭＩＮよりも小さい可能性がある。
【数１１】
2014512566.tif 000058
【手続補正３】
【補正対象書類名】明細書
【補正対象項目名】００８４
【補正方法】変更
【補正の内容】
【００８４】
第４に、式（３）および式（８）によって暗示されたように、保持電圧ＶＳとセグメント電圧ＶＣＨＯＬＤの間の差分は、アレイ内の分岐干渉変調器の偶発的な開放を低減するために、式（１４）に示されたようにＶＲＭＡＸよりも小さい可能性がある。
【数１４】
2014512566.tif 000059
【手続補正４】
【補正対象書類名】明細書
【補正対象項目名】００８６
【補正方法】変更
【補正の内容】
【００８６】
駆動方式電圧の選択を簡略化するために、ＶＣＲＥＬは電圧オフセットＶＯＦＦＳＥＴとして選択され得る。電圧オフセットは、対応する高アレイ電圧と低アレイ電圧の平均に基づいて選択され得る。いくつかの実施態様では、ＶＯＦＦＳＥＴはゼロであると仮定される。したがって、いくつかの実施態様では、ＶＲＥＬはゼロとして選択される。
【手続補正５】
【補正対象書類名】明細書
【補正対象項目名】０１１９
【補正方法】変更
【補正の内容】
【０１１９】
図１４は、そのような試験装置を示すシステムブロック図の一例を示す。試験装置は、テスト中のデバイスとも呼ばれるアレイ１４０１に結合される。アレイは、たとえば、図２のアレイ３０に関して上述された分岐干渉変調器のアレイであり得る。アレイ１４０１は、行ドライバ回路１４２４と列ドライバ回路１４２６とを含むアレイドライバ１４２２で駆動される。アレイドライバ１４２２は、図２のアレイドライバ２２に関して上述された原理に従って動作することができる。アレイドライバ１４２４はプロセッサ１４１０と通信している。プロセッサは、少なくとも図２のプロセッサ２１に関して上述された原理に従って動作することができる。たとえば、プロセッサ１４１０は、アレイ１４０１に印加されるべき電圧に関して、アレイドライバ１４２２に情報を提供することができる。プロセッサ１４１０は、図１２および図１３の方法１２００および方法１３００の少なくとも一部を実行するように、さらに動作することができる。たとえば、プロセッサ１４１０は、光学センサー１４３０と通信して、アレイ１４０１の１つもしくは少しだけのディスプレイ要素がいつ状態を変更したか、またはアレイ１４０１のすべてもしくは実質的にすべてのディスプレイ要素がいつ状態を変更したかを判定することができる。光学センサー１４３０は、たとえば、カメラ、視覚システム、カメラ、センサー、レンズ、レーザ振動計システムなどを含むことができる。プロセッサ１４１０はまた、光学センサー１４３０を使用しないが、この目的のために特別に構成されたドライバを使用するキャパシタンス検知方法を使用してディスプレイ要素の作動を検出することによって、アレイ１４０１の１つもしくは少しだけのディスプレイ要素がいつ状態を変更したか、またはアレイ１４０１のすべてもしくは実質的にすべてのディスプレイ要素がいつ状態を変更したかを判定するように構成され得る。この実施態様で、ドライバ回路は、様々な印加電圧下で、作動状態と非作動状態の間のディスプレイ要素のキャパシタンス変化を検出する電荷センサーまたは電圧センサーを内蔵する。
【国際調査報告】
2014512566.tif 000060
2014512566.tif 000061